(57)【要約】  符号量を抑えることができる符号化方法を提供する。この符号化方法では、量子化マトリクスセットを設定する設定ステップＳ１１と、設定された量子化マトリクスセットの中から選択された量子化マトリクスを用いて、対象ブロックの量子化を行う量子化ステップＳ１２と、量子化された対象ブロックと、設定された量子化マトリクスセットの識別情報とを、互いに対応づけて符号化する符号化ステップＳ１３とを含み、設定ステップＳ１１では、任意に指定されるカスタム量子化マトリクスセットと、複数の規定量子化マトリクスセットとを含む複数の量子化マトリクスセットの中から、何れかの量子化マトリクスセットを選択することによって、選択された量子化マトリクスセットを、対象ブロックの量子化に用いる量子化マトリクスセットとして設定する。
2016103542.tif 000002
【特許請求の範囲】
【請求項１】
画像をブロック単位で符号化する符号化方法であって、
対象ブロックに対する量子化に用いる、複数の量子化マトリクスを含む量子化マトリクスセットを設定する設定ステップと、
設定された前記量子化マトリクスセットの中から、前記対象ブロックの特徴に基づいて選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを含み、
前記設定ステップでは、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる複数の量子化値を有する量子化マトリクスを含み、
前記符号化ステップでは、
設定された前記量子化マトリクスセットが前記第１の量子化マトリクスセットである場合には、前記第１の量子化マトリクスセットをさらに符号化する
符号化方法。
【請求項２】
前記量子化ステップでは、
設定された前記量子化マトリクスセットの中から、前記対象ブロックのサイズに対応する量子化マトリクスを選択し、選択された前記量子化マトリクスを用いて量子化を行う
請求項１に記載の符号化方法。
【請求項３】
前記複数の第２の量子化マトリクスセットに、第１セットと第２セットとがそれぞれ第２の量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項２に記載の符号化方法。
【請求項４】
前記設定ステップでは、
前記第１の量子化マトリクスセットを用いるか否かを判定し、
前記判定結果に基づいて、前記第１の量子化マトリクスセットか、前記複数の第２の量子化マトリクスセットの中の何れか１つかを、前記対象ブロックの量子化に用いる量子化マトリクスセットとして選択し、
前記符号化ステップでは、
前記判定結果を示す切替情報を前記識別情報の少なくとも一部として符号化する、
請求項１〜３のいずれか１項に記載の符号化方法。
【請求項５】
前記設定ステップでは、
前記複数の第２の量子化マトリクスセットのそれぞれに割り当てられている優先順位にしたがって、前記複数の量子化マトリクスセットの中から何れかの量子化マトリクスセットを選択する
請求項１〜４のいずれか１項に記載の符号化方法。
【請求項６】
前記符号化方法は、さらに、
前記複数の第２の量子化マトリクスセットのそれぞれに割り当てられている優先順位を変更する変更ステップを含む、
請求項５に記載の符号化方法。
【請求項７】
符号列に含まれる符号化された画像をブロック単位で復号する復号方法であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から、前記対象ブロックの特徴に基づいて選択された量子化マトリクスを用いて、復号された前記対象ブロックに対する逆量子化を行う逆量子化ステップとを含み、
前記設定ステップでは、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号ステップでは、
前記識別情報によって識別される量子化マトリクスセットが前記第１の量子化マトリクスセットである場合には、前記符号列に含まれる前記第１の量子化マトリクスセットをさらに復号する
復号方法。
【請求項８】
前記逆量子化ステップでは、
設定された前記量子化マトリクスセットの中から、前記対象ブロックのサイズに対応する量子化マトリクスを選択し、選択された前記量子化マトリクスを用いて逆量子化を行う
請求項７に記載の復号方法。
【請求項９】
前記複数の第２の量子化マトリクスセットに、第１セットと第２セットとがそれぞれ第２の量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項８に記載の復号方法。
【請求項１０】
前記復号ステップでは、
前記識別情報に含まれる、前記第１の量子化マトリクスセットを用いるか否かを示す切替情報を復号し、
前記設定ステップでは、
前記切替情報に基づいて、前記第１の量子化マトリクスセットか、前記複数の第２の量子化マトリクスセットの中の何れか１つかを、前記対象ブロックの逆量子化に用いる量子化マトリクスセットとして選択する、
請求項７〜９のいずれか１項に記載の復号方法。
【請求項１１】
前記設定ステップでは、
前記複数の第２の量子化マトリクスセットのそれぞれに割り当てられている優先順位にしたがって、前記複数の量子化マトリクスセットの中から何れかの量子化マトリクスセットを選択する
請求項７〜１０のいずれか１項に記載の復号方法。
【請求項１２】
前記復号方法は、さらに、
前記複数の第２の量子化マトリクスセットのそれぞれに割り当てられている優先順位を変更する変更ステップを含む、
請求項１１に記載の復号方法。
【請求項１３】
画像をブロック単位で符号化する符号化装置であって、
対象ブロックに対する量子化に用いる、複数の量子化マトリクスを含む量子化マトリクスセットを設定する設定部と、
設定された前記量子化マトリクスセットの中から、前記対象ブロックの特徴に基づいて選択された量子化マトリクスを用いて、前記対象ブロックの量子化を行う量子化部と、
量子化された前記対象ブロックと、設定された前記量子化マトリクスセットを識別するための識別情報とを、互いに対応づけて符号化する符号化部とを備え、
前記設定部は、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる量子化値を有する量子化マトリクスを含み、
前記符号化部は、
設定された前記量子化マトリクスセットが前記第１の量子化マトリクスセットである場合には、前記第１の量子化マトリクスセットをさらに符号化する
符号化装置。
【請求項１４】
処理回路と、前記処理回路に電気的に接続される記憶装置とを備え、画像をブロック単位で符号化する符号化装置であって、
前記処理回路は、
対象ブロックに対する量子化に用いる、複数の量子化マトリクスを含む量子化マトリクスセットを設定する設定ステップと、
設定された前記量子化マトリクスセットの中から、前記対象ブロックの特徴に基づいて選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを実行し、
前記設定ステップでは、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる量子化値を有する量子化マトリクスを含み、
前記符号化ステップでは、
設定された前記量子化マトリクスセットが前記第１の量子化マトリクスセットである場合には、前記第１の量子化マトリクスセットをさらに符号化する
符号化装置。
【請求項１５】
符号列に含まれる符号化された画像をブロック単位で復号する復号装置であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号部と、
前記識別情報によって識別される量子化マトリクスセットを設定する設定部と、
設定された前記量子化マトリクスセットの中から、前記対象ブロックの特徴に基づいて選択された量子化マトリクスを用いて、復号された前記対象ブロックに対する逆量子化を行う逆量子化部とを備え、
前記設定部は、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号部は、
前記識別情報によって識別される量子化マトリクスセットが前記第１の量子化マトリクスセットである場合には、前記符号列に含まれる前記第１の量子化マトリクスセットをさらに復号する
復号装置。
【請求項１６】
処理回路と、前記処理回路に電気的に接続される記憶装置とを備え、符号列に含まれる符号化された画像をブロック単位で復号する復号装置であって、
前記処理回路は、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から、前記対象ブロックの特徴に基づいて選択された量子化マトリクスを用いて、復号された前記対象ブロックに対する逆量子化を行う逆量子化ステップとを実行し、
前記設定ステップでは、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号ステップでは、
前記識別情報によって識別される量子化マトリクスセットが前記第１の量子化マトリクスセットである場合には、前記符号列に含まれる前記第１の量子化マトリクスセットをさらに復号する
復号装置。
【発明の詳細な説明】
【技術分野】
【０００１】
本発明は、画像を符号化する符号化方法、または、画像を復号する復号方法に関し、更に詳しくは、量子化マトリクスを用いた符号化方法および復号方法などに関する。
【背景技術】
【０００２】
最新の動画像符号化標準規格としてＨ．２６５／ＨＥＶＣ（Ｈｉｇｈ  Ｅｆｆｉｃｉｅｎｃｙ  Ｖｉｄｅｏ  Ｃｏｄｉｎｇ）規格がある（非特許文献１参照）。Ｈ．２６５／ＨＥＶＣを含む動画像符号化方式においては、周波数成分に応じて異なる量子化幅を持つ量子化マトリクスを用いて量子化を行うことがある。符号化において、人間の目が高域成分の劣化に気付きにくいことを生かし、高域成分を粗く低域成分を細かく量子化できるような量子化マトリクスを用いると、主観画質が上がる。また、予測モード、ブロックサイズ、および画素成分から決まる量子化モードに応じて、異なる量子化マトリクスを使用することができる。Ｈ．２６５／ＨＥＶＣにおいて量子化マトリクスを使用する場合は、周波数変換で用いられる４ｘ４または８ｘ８などのブロックサイズと、予測画像生成時の予測モードと、輝度または色差などの画素成分との組み合わせに応じて量子化モードが決定される。そして、この量子化モードに対応した量子化マトリクスを取得して用いる。この量子化マトリクスとしては、符号化側のユーザ又はシステムが指定した量子化マトリクスおよびデフォルトの量子化マトリクスを用いる場合がある。ユーザが指定する場合、符号化対象画像に適した量子化マトリクスを設定することができる。
【先行技術文献】
【非特許文献】
【０００３】
【非特許文献１】ＩＴＵ−Ｔ  Ｈ．２６５  ０４／２０１３
【発明の概要】
【０００４】
しかしながら、上記非特許文献１の符号化方法および復号方法では、符号量を十分に抑えることができないという課題がある。
【０００５】
そこで、本発明は、符号量を抑えることができる符号化方法および復号方法などを提供する。
【０００６】
本発明の一態様に係る符号化方法は、画像をブロック単位で符号化する符号化方法であって、対象ブロックに対する量子化に用いる、複数の量子化マトリクスを含む量子化マトリクスセットを設定する設定ステップと、設定された前記量子化マトリクスセットの中から、前記対象ブロックの特徴に基づいて選択された量子化マトリクスを用いて、前記対象ブロックの量子化を行う量子化ステップと、量子化された前記対象ブロックと、設定された前記量子化マトリクスセットを識別するための識別情報とを、互いに対応づけて符号化する符号化ステップとを含み、前記設定ステップでは、任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、前記複数の第２の量子化マトリクスセットのそれぞれは、互いに異なる複数の量子化値を有する量子化マトリクスを含み、前記符号化ステップでは、設定された前記量子化マトリクスセットが前記第１の量子化マトリクスセットである場合には、前記第１の量子化マトリクスセットをさらに符号化する。
【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【０００８】
本発明の符号化方法および復号方法は、符号量を抑えることができる。
【図面の簡単な説明】
【０００９】
【図１】図１は、実施の形態１における符号化装置の構成の一例を示すブロック図である。
【図２】図２は、実施の形態１における符号化装置の処理動作の一例を示すフローチャートである。
【図３】図３は、実施の形態１における量子化マトリクス切替部の構成の一例を示すブロック図である。
【図４】図４は、実施の形態１における量子化マトリクスセットの一例を示す図である。
【図５】図５は、実施の形態１における、それぞれ異なる特徴を持つ複数の規定量子化マトリクスセットの一例を示す図である。
【図６】図６は、実施の形態１における量子化マトリクス設定処理の一例を示すフローチャートである。
【図７】図７は、実施の形態１における量子化の一例を示すフローチャートである。
【図８】図８は、実施の形態１における可変長符号化の一例を示すフローチャートである。
【図９】図９は、実施の形態１における量子化マトリクス情報追加処理の一例を示すフローチャートである。
【図１０】図１０は、実施の形態２における復号装置の構成の一例を示すブロック図である。
【図１１】図１１は、実施の形態２における復号装置の処理動作の一例を示すフローチャートである。
【図１２】図１２は、実施の形態２における量子化マトリクス復号処理の一例を示すフローチャートである。
【図１３】図１３は、実施の形態２における逆量子化の一例を示すフローチャートである。
【図１４Ａ】図１４Ａは、本発明の一態様に係る符号化装置の構成の一例を示すブロック図である。
【図１４Ｂ】図１４Ｂは、本発明の一態様に係る符号化方法の一例を示すフローチャートである。
【図１５Ａ】図１５Ａは、本発明の一態様に係る復号装置の構成の一例を示すブロック図である。
【図１５Ｂ】図１５Ｂは、本発明の一態様に係る復号方法の一例を示すフローチャートである。
【図１６】図１６は、コンテンツ配信サービスを実現するコンテンツ供給システムの全体構成図である。
【図１７】図１７は、デジタル放送用システムの全体構成図である。
【図１８】図１８は、テレビの構成例を示すブロック図である。
【図１９】図１９は、光ディスクである記録メディアに情報の読み書きを行う情報再生／記録部の構成例を示すブロック図である。
【図２０】図２０は、光ディスクである記録メディアの構造例を示す図である。
【図２１Ａ】図２１Ａは、携帯電話の一例を示す図である。
【図２１Ｂ】図２１Ｂは、携帯電話の構成例を示すブロック図である。
【図２２】図２２は、多重化データの構成を示す図である。
【図２３】図２３は、各ストリームが多重化データにおいてどのように多重化されているかを模式的に示す図である。
【図２４】図２４は、ＰＥＳパケット列に、ビデオストリームがどのように格納されるかを更に詳しく示した図である。
【図２５】図２５は、多重化データにおけるＴＳパケットとソースパケットの構造を示す図である。
【図２６】図２６は、ＰＭＴのデータ構成を示す図である。
【図２７】図２７は、多重化データ情報の内部構成を示す図である。
【図２８】図２８は、ストリーム属性情報の内部構成を示す図である。
【図２９】図２９は、映像データを識別するステップを示す図である。
【図３０】図３０は、各実施の形態の動画像符号化方法および動画像復号化方法を実現する集積回路の構成例を示すブロック図である。
【図３１】図３１は、駆動周波数を切り替える構成を示す図である。
【図３２】図３２は、映像データを識別し、駆動周波数を切り替えるステップを示す図である。
【図３３】図３３は、映像データの規格と駆動周波数を対応づけたルックアップテーブルの一例を示す図である。
【図３４Ａ】図３４Ａは、信号処理部のモジュールを共有化する構成の一例を示す図である。
【図３４Ｂ】図３４Ｂは、信号処理部のモジュールを共有化する構成の他の一例を示す図である。
【発明を実施するための形態】
【００１０】
（本発明の基礎となった知見）
本発明者は、「背景技術」の欄において記載した非特許文献１に関し、以下の問題が生じることを見出した。
【００１１】
非特許文献１の符号化方法の場合、使用可能なデフォルトの量子化マトリクスが制限されているため、画質の向上を図るためには、ユーザなどが指定する量子化マトリクスを頻繁に利用する必要がある。また、ユーザなどが指定する量子化マトリクスを使用する場合、その量子化マトリクスを符号列に含める必要がある。したがって、この量子化マトリクスの分だけ符号量が大きくなる。すなわち、量子化マトリクスが符号列に占める割合は符号化のレートが低いほどより大きくなり、画質に大きな影響を与えるだけではなく、画像の圧縮が困難になる。
【００１２】
このような問題を解決するために、本発明の一態様に係る符号化方法は、画像をブロック単位で符号化する符号化方法であって、対象ブロックに対する量子化に用いる、複数の量子化マトリクスを含む量子化マトリクスセットを設定する設定ステップと、設定された前記量子化マトリクスセットの中から、前記対象ブロックの特徴に基づいて選択された量子化マトリクスを用いて、前記対象ブロックの量子化を行う量子化ステップと、量子化された前記対象ブロックと、設定された前記量子化マトリクスセットを識別するための識別情報とを、互いに対応づけて符号化する符号化ステップとを含み、前記設定ステップでは、任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、前記複数の第２の量子化マトリクスセットのそれぞれは、互いに異なる複数の量子化値を有する量子化マトリクスを含み、前記符号化ステップでは、設定された前記量子化マトリクスセットが前記第１の量子化マトリクスセットである場合には、前記第１の量子化マトリクスセットをさらに符号化する。例えば、第１の量子化マトリクスセットは、ユーザによって指定されるカスタム量子化マトリクスセットである。また、第２の量子化マトリクスセットは、デフォルトの量子化マトリクスセット、つまり規定量子化マトリクスセットである。
【００１３】
これにより、第１の量子化マトリクスセットと、複数の第２の量子化マトリクスセットとの中から選択された量子化マトリクスセットが、量子化に用いる量子化マトリクスセットとして設定される。したがって、第２の量子化マトリクスセットが複数あるため、第１の量子化マトリクスセットが選択される頻度を低下させることができる。また、第１の量子化マトリクスセットが設定される場合には、その第１の量子化マトリクスセットは符号化されるが、第２の量子化マトリクスセットが設定される場合には、その第２の量子化マトリクスセットは予め規定されているため、符号化されることはない。したがって、第２の量子化マトリクスセットが設定される頻度を増やすことができ、符号量を抑えることができる。また、複数の第２の量子化マトリクスセットのそれぞれは、互いに異なる量子化値を有する量子化マトリクスを含むため、何れの第２の量子化マトリクスセットが設定されたときにも、画質の低下を防ぐことができる。
【００１４】
これにより、異なる特徴を持つ複数の規定量子化マトリクスセットを選択的に制御することで、少ない情報量で映像の特性および圧縮率に応じた量子化マトリクスを利用することが可能となる。
【００１５】
また、前記量子化ステップでは、設定された前記量子化マトリクスセットの中から、前記対象ブロックのサイズに対応する量子化マトリクスを選択し、選択された前記量子化マトリクスを用いて量子化を行ってもよい。
【００１６】
これにより、対象ブロックのサイズに応じた量子化マトリクスによって、その対象ブロックを適切に量子化することができる。
【００１７】
また、前記複数の第２の量子化マトリクスセットに、第１セットと第２セットとがそれぞれ第２の量子化マトリクスセットとして含まれている場合、前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なってもよい。
【００１８】
これにより、複数の第２の量子化マトリクスセットには、高域成分に大きな量子化値を有する第１セットと、高域成分に小さな量子化値を有する第２セットとが含まれる。したがって、高画質用の第２の量子化マトリクスセットと、低レート（ビットレート）用の第２の量子化マトリクスセットとを切り替えることができる。つまり、所望の画質またはビットレートに応じた第２の量子化マトリクスセットを用いることができ、画質の劣化を防ぐことができる。
【００１９】
また、前記設定ステップでは、前記第１の量子化マトリクスセットを用いるか否かを判定し、前記判定結果に基づいて、前記第１の量子化マトリクスセットか、前記複数の第２の量子化マトリクスセットの中の何れか１つかを、前記対象ブロックの量子化に用いる量子化マトリクスセットとして選択し、前記符号化ステップでは、前記判定結果を示す切替情報を前記識別情報の少なくとも一部として符号化してもよい。
【００２０】
これにより、第１の量子化マトリクスセットと、第２の量子化マトリクスセットとの切り替えを適切に行うことができる。
【００２１】
また、前記設定ステップでは、前記複数の第２の量子化マトリクスセットのそれぞれに割り当てられている優先順位にしたがって、前記複数の量子化マトリクスセットの中から何れかの量子化マトリクスセットを選択してもよい。
【００２２】
これにより、第１の量子化マトリクスセットが選択されない場合には、複数の第２の量子化マトリクスセットの中から、それらの優先順位にしたがって、何れかの第２の量子化マトリクスセットが選択される。そして、その選択された第２の量子化マトリクスセットが、量子化に用いる量子化マトリクスセットとして設定される。したがって、その符号化方法によって画像を符号化する符号化装置と復号装置との間で、優先順位が一意に定められていれば、選択すべき第２の量子化マトリクスセットを示す情報（選択インデックス）を符号化装置が復号装置に送信する必要がない。したがって、符号量をより抑えることができる。また、その優先順位にしたがって、複数の第２の量子化マトリクスセットのそれぞれにインデックス（選択インデックス）を割り当ててもよい。この場合には、例えば、設定される頻度の高い第２の量子化マトリクスセットほど、その第２の量子化マトリクスセットの優先順位は高く、その第２の量子化マトリクスセットに対して小さい値のインデックスが割り当てられる。その結果、復号装置に各インデックスが送信される場合でも、それらのインデックスの符号量を抑えることができる。
【００２３】
また、前記符号化方法は、さらに、前記複数の第２の量子化マトリクスセットのそれぞれに割り当てられている優先順位を変更する変更ステップを含んでもよい。
【００２４】
これにより、例えば、符号化の対象となる画像または通信の状態に応じて優先順位を変更することができ、その画像または通信の状態が変動する場合でも符号量を適切に抑えることができる。
【００２５】
また、本発明の一態様に係る復号方法は、符号列に含まれる符号化された画像をブロック単位で復号する復号方法であって、前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、前記識別情報によって識別される量子化マトリクスセットを設定する設定ステップと、設定された前記量子化マトリクスセットの中から、前記対象ブロックの特徴に基づいて選択された量子化マトリクスを用いて、復号された前記対象ブロックに対する逆量子化を行う逆量子化ステップとを含み、前記設定ステップでは、前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、前記複数の第２の量子化マトリクスセットのそれぞれは、互いに異なる量子化値を有する量子化マトリクスを含み、前記復号ステップでは、前記識別情報によって識別される量子化マトリクスセットが前記第１の量子化マトリクスセットである場合には、前記符号列に含まれる前記第１の量子化マトリクスセットをさらに復号する。
【００２６】
これにより、第１の量子化マトリクスセットと、複数の第２の量子化マトリクスセットとの中から選択された量子化マトリクスセットが、逆量子化に用いる量子化マトリクスセットとして設定される。したがって、第２の量子化マトリクスセットが複数あるため、第１の量子化マトリクスセットが選択される頻度を低下させることができる。また、第１の量子化マトリクスセットが設定される場合には、その第１の量子化マトリクスセットは復号されるが、第２の量子化マトリクスセットが設定される場合には、その第２の量子化マトリクスセットは予め規定されているため、復号されることはない。したがって、第２の量子化マトリクスセットが設定される頻度を増やすことができ、符号量を抑えることができる。また、複数の第２の量子化マトリクスセットのそれぞれは、互いに異なる量子化値を有する量子化マトリクスを含むため、何れの第２の量子化マトリクスセットが設定されたときにも、画質の低下を防ぐことができる。
【００２７】
また、前記逆量子化ステップでは、設定された前記量子化マトリクスセットの中から、前記対象ブロックのサイズに対応する量子化マトリクスを選択し、選択された前記量子化マトリクスを用いて逆量子化を行ってもよい。
【００２８】
これにより、対象ブロックのサイズに応じた量子化マトリクスによって、その対象ブロックを適切に逆量子化することができる。
【００２９】
また、前記複数の第２の量子化マトリクスセットに、第１セットと第２セットとがそれぞれ第２の量子化マトリクスセットとして含まれている場合、前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なってもよい。
【００３０】
これにより、複数の第２の量子化マトリクスセットには、高域成分に大きな量子化値を有する第１セットと、高域成分に小さな量子化値を有する第２セットとが含まれる。したがって、高画質用の第２の量子化マトリクスセットと、低レート（ビットレート）用の第２の量子化マトリクスセットとを切り替えることができる。つまり、所望の画質またはビットレートに応じた第２の量子化マトリクスセットを用いることができ、画質の劣化を防ぐことができる。
【００３１】
また、前記復号ステップでは、前記識別情報に含まれる、前記第１の量子化マトリクスセットを用いるか否かを示す切替情報を復号し、前記設定ステップでは、前記切替情報に基づいて、前記第１の量子化マトリクスセットか、前記複数の第２の量子化マトリクスセットの中の何れか１つかを、前記対象ブロックの逆量子化に用いる量子化マトリクスセットとして選択してもよい。
【００３２】
これにより、第１の量子化マトリクスセットと、第２の量子化マトリクスセットとの切り替えを適切に行うことができる。
【００３３】
また、前記設定ステップでは、前記複数の第２の量子化マトリクスセットのそれぞれに割り当てられている優先順位にしたがって、前記複数の量子化マトリクスセットの中から何れかの量子化マトリクスセットを選択してもよい。
【００３４】
これにより、第１の量子化マトリクスセットが選択されない場合には、複数の第２の量子化マトリクスセットの中から、それらの優先順位にしたがって、何れかの第２の量子化マトリクスセットが選択される。そして、その選択された第２の量子化マトリクスセットが、逆量子化に用いる量子化マトリクスセットとして設定される。したがって、符号化装置と、その復号方法によって画像を復号する復号装置との間で、優先順位が一意に定められていれば、選択すべき第２の量子化マトリクスセットを示す情報（選択インデックス）を符号化装置が復号装置に送信する必要がない。したがって、符号量をより抑えることができる。また、その優先順位にしたがって、複数の第２の量子化マトリクスセットのそれぞれにインデックス（選択インデックス）を割り当ててもよい。この場合には、例えば、設定される頻度の高い第２の量子化マトリクスセットほど、その第２の量子化マトリクスセットの優先順位は高く、その第２の量子化マトリクスセットに対して小さい値のインデックスが割り当てられる。その結果、符号化装置から各インデックスが送信される場合でも、それらのインデックスの符号量を抑えることができる。
【００３５】
また、前記復号方法は、さらに、前記複数の第２の量子化マトリクスセットのそれぞれに割り当てられている優先順位を変更する変更ステップを含んでもよい。
【００３６】
これにより、例えば、符号化の対象となる画像または通信の状態に応じて優先順位を変更することができ、その画像または通信の状態が変動する場合でも符号量を適切に抑えることができる。
【００３７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００３８】
以下、実施の形態について、図面を参照しながら具体的に説明する。
【００３９】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４０】
また、以下で説明する実施の形態では、既によく知られた事項の詳細説明、または実質的に同一の構成に対する重複説明を省略する場合がある。これは、以下の説明が不必要に冗長になるのを避け、当業者の理解を容易にするためである。
【００４１】
（実施の形態１）
本開示に係る符号化方法を用いた符号化装置の実施の形態の一つに関して、図１〜図９を用いて説明を行う。
【００４２】
図１は、実施の形態１における符号化装置の構成の一例を示すブロック図である。符号化装置２０００は、ブロック分割部２００５、減算器２０１０、周波数変換部２０１５、量子化部２０２０、可変長符号化部２０２５、量子化マトリクス切替部２０３０、逆量子化部２０３５、逆周波数変換部２０４０、加算器２０４５、イントラ予測部２０５０、ループフィルタ２０５５、フレームメモリ２０６０、インター予測部２０６５、およびイントラ／インター切替部２０７０を備える。
【００４３】
符号化装置２０００は、入力された画像信号に対して符号化を行うことで、具体的には、画像をブロック単位で符号化することで、ビットストリームを生成する。その際、ブロック分割部２００５は、その画像信号によって示される、１以上のピクチャを含む静止画または動画である画像を、符号化処理単位であるブロックに分割する。減算器２０１０は、符号化対象のブロックである対象ブロックと、イントラ予測部２０５０またはインター予測部２０６５によって生成された予測ブロック（予測画像）との減算を行うことにより、差分ブロック（予測誤差）を生成する。周波数変換部２０１５は、生成された差分ブロックに対して周波数変換を行う。
【００４４】
量子化部２０２０は、量子化マトリクス切替部２０３０から出力される量子化マトリクスを用いて、周波数変換によって得られた複数の周波数係数に対して量子化を行う。逆量子化部２０３５は、量子化によって得られた複数の量子化係数に対して、量子化部２０２０が用いた量子化マトリクスと同一の量子化マトリクスを用いて逆量子化を行う。
【００４５】
逆周波数変換部２０４０は、逆量子化によって得られた複数の周波数係数に対して逆周波数変換を行う。加算器２０４５は、イントラ予測部２０５０またはインター予測部２０６５によって生成された予測ブロックと、逆周波数変換によって復元された差分ブロックとを加算することより復号画像を生成する。
【００４６】
ループフィルタ２０５５は、生成された復号画像に対して符号化の影響を軽減するためのフィルタリングを行って、そのフィルタリングされた復号画像をフレームメモリ２０６０に格納する。このフィルタリングは、例えば、ブロック境界の歪みを除去するデブロッキング・フィルタを用いたフィルタリングである。
【００４７】
イントラ予測部２０５０は、加算器２０４５によって生成された復号画像を用いたイントラ予測を行うことによって、対象ブロックに対する予測ブロックを生成する。インター予測部２０６５は、対象ブロックと、フレームメモリ２０６０に格納されている復号画像とを用いてインター予測を行うことによって、対象ブロックに対する予測ブロックを生成する。イントラ予測部２０５０およびインター予測部２０６５はそれぞれ、予測に用いられた情報を予測情報として可変長符号化部２０２５に出力する。
【００４８】
イントラ／インター切替部２０７０は、減算器２０１０および加算器２０４５に出力される予測ブロックを、イントラ予測によって生成された予測ブロックと、インター予測によって生成された予測ブロックとに切り替える。
【００４９】
量子化マトリクス切替部２０３０は、量子化および逆量子化に用いられる量子化マトリクスセット（以下、使用量子化マトリクスセットという）を切り替えるための量子化マトリクス切替情報を取得する。量子化マトリクス切替情報は、カスタム量子化マトリクスセットおよび複数の規定量子化マトリクスセットのうちの何れかのセットを指し示す識別情報である。カスタム量子化マトリクスセットは、ユーザまたはシステムによって任意に指定される、複数の量子化マトリクスを含む量子化マトリクスセットである。規定量子化マトリクスセットは、予め規定された、複数の量子化マトリクスを含む量子化マトリクスセットである。なお、カスタム量子化マトリクスセットは、第１の量子化マトリクスセットであり、規定量子化マトリクスセットは、第２の量子化マトリクスセットである。また、以下、カスタム量子化マトリクスセットに含まれる複数の量子化マトリクスのそれぞれをカスタム量子化マトリクスという。カスタム量子化マトリクスを使用することで、画質の調整を任意に行うことが可能となる。同様に、規定量子化マトリクスセットに含まれる複数の量子化マトリクスのそれぞれを規定量子化マトリクスという。
【００５０】
量子化マトリクス切替部２０３０は、量子化マトリクス切替情報を取得すると、その量子化マトリクス切替情報に基づいて、複数の量子化マトリクスセットの中から何れかの量子化マトリクスセットを選択する。そして、量子化マトリクス切替部２０３０は、その選択された量子化マトリクスセットを使用量子化マトリクスセットとして設定する。以下、この量子化マトリクスセットの選択および設定を量子化マトリクス設定処理という。そして、量子化マトリクス切替部２０３０は、その使用量子化マトリクスセットに含まれる量子化マトリクスを量子化部２０２０および逆量子化部２０３５に出力する。
【００５１】
また、量子化マトリクス切替部２０３０は、取得された量子化マトリクス切替情報がカスタム量子化マトリクスセットを指し示す場合には、カスタム量子化マトリクスセットを取得する。この場合、量子化マトリクス切替部２０３０は、複数の量子化マトリクスセットの中からそのカスタム量子化マトリクスセットを選択して使用量子化マトリクスとして設定する。さらに、量子化マトリクス切替部２０３０は、そのカスタム量子化マトリクスセットを可変長符号化部２０２５に出力する。
【００５２】
可変長符号化部２０２５は、量子化によって得られた複数の量子化係数、予測情報、および量子化マトリクス切替情報に対して可変長符号化を行うことによって、ビットストリーム（符号列）を生成する。また、可変長符号化部２０２５は、量子化マトリクス切替部２０３０からカスタム量子化マトリクスセットを取得したときには、そのカスタム量子化マトリクスセットに対しても可変長符号化を行う。これにより、可変長符号化されたカスタム量子化マトリクスセットを含むビットストリームが生成される。
【００５３】
図２は、実施の形態１における符号化装置２０００の処理動作の一例を示すフローチャートである。
【００５４】
まず、量子化マトリクス切替部２０３０は、シーケンス単位で量子化マトリクス設定処理を行う（Ｓ１０１）。続いて、量子化マトリクス切替部２０３０は、ピクチャ単位で量子化マトリクス設定処理を行う（Ｓ１０２）。
【００５５】
次に、ブロック分割部２００５は、１以上のピクチャを含む静止画または動画である画像をブロックに分割する（Ｓ１０３）。次に、イントラ予測部２０５０、インター予測部２０６５およびイントラ／インター切替部２０７０は、ブロック毎に、復号画像を利用して対象ブロックに対する予測ブロックを生成する（Ｓ１０４）。その後、減算器２０１０は、対象ブロックと予測ブロックから差分ブロックを生成する（Ｓ１０５）。周波数変換部２０１５は、生成した差分ブロックに対して周波数変換を行う（Ｓ１０６）。量子化部２０２０は、ステップＳ１０６で得られた複数の周波数係数に対して量子化を行う（Ｓ１０７）。
【００５６】
可変長符号化部２０２５は、ステップＳ１０７の量子化によって得られた複数の量子化係数および量子化マトリクス切替情報に対する可変長符号化を行うことによって、ビットストリームを生成する（Ｓ１０８）。このとき、可変長符号化部２０２５は、量子化された対象ブロックと、ステップＳ１０１またはＳ１０２で設定された量子化マトリクスセットを識別するための識別情報である量子化マトリクス切換情報とを、互いに対応づけて符号化（可変長符号化）する。また、可変長符号化部２０２５は、その設定された量子化マトリクスセットがカスタム量子化マトリクスセットである場合には、そのカスタム量子化マトリクスセットをさらに符号化（可変長符号化）する。
【００５７】
また、逆量子化部２０３５は、ステップＳ１０７で得られた複数の量子化係数に対して、ステップＳ１０７で用いた量子化マトリクスと同一の量子化マトリクスを用いて逆量子化を行う（Ｓ１０９）。逆周波数変換部２０４０は、ステップＳ１０９で得られた複数の周波数係数に対して、逆周波数変換をほどこす（Ｓ１１０）。その後、加算器２０４５は、ステップＳ１０４で生成した予測ブロックとステップＳ１１０の逆周波数変換によって復元した差分ブロックとにより、対象ブロックに対する復号画像を生成する（Ｓ１１１）。
【００５８】
符号化装置２０００は、ステップＳ１０４〜Ｓ１１１までの処理がピクチャの全体に対して行われたか否か、つまりピクチャ全体の符号化が完了したか否かを判定する（Ｓ１１２）。ここで、完了していないと判定すると（Ｓ１１２でＮｏ）、符号化装置２０００は、ステップＳ１０４からの処理を繰り返す。一方、ピクチャ全体の符号化が完了したと判定すると（Ｓ１１２でＹｅｓ）、符号化装置２０００は、シーケンス全体の符号化が完了したか否かを判定する（Ｓ１１３）。ここで、完了していないと判定すると（Ｓ１１３でＮｏ）、符号化装置２０００は、ステップＳ１０２からの処理を繰り返す。一方、シーケンス全体の符号化が完了したと判定すると（Ｓ１１３でＹｅｓ）、符号化装置２０００は、画像信号のシーケンス単位の符号化を終了する。
【００５９】
なお、符号化装置２０００は、ステップＳ１０６の周波数変換と、ステップＳ１０７の量子化とを、それぞれ別処理として逐次行っても良いし、２つの処理を一括して行っても良い。また、量子化とは、予め定義された間隔でサンプリングした値を予め指定されたレベルに対応付けてデジタル化することをいい、逆量子化とは、元の区間に戻すことを指す。データ圧縮分野では、量子化はオリジナルよりも粗い区間に分け、逆量子化は粗い区間をオリジナルの細かい区間に分けなおす処理をいう。コーデック技術分野では、量子化及び逆量子化に対して、丸め、ラウンディング、およびスケーリングといった表現が用いられることがある。
【００６０】
図３は、量子化マトリクス切替部２０３０の構成の一例を示すブロック図である。量子化マトリクス切替部２０３０は、量子化マトリクス切替制御部３００５、カスタム／規定切替部３０１０、規定マトリクス選択部３０１５、およびメモリ３０２０を備える。メモリ３０２０は、規定量子化マトリクスセットＡ、規定量子化マトリクスセットＢ、および規定量子化マトリクスセットＣを格納している。このような量子化マトリクス切替部２０３０は、カスタム量子化マトリクスセットおよび量子化マトリクス切替情報の入力に応じて、量子化マトリクスを出力する。
【００６１】
具体的には、量子化マトリクス切替制御部３００５は、量子化マトリクス切替情報を取得し、その量子化マトリクス切替情報から選択インデックスと切替フラグとを分離する。選択インデックスは、規定量子化マトリクスセットＡ〜Ｃのうちの何れかを指し示すインデックスである。切替フラグは、使用量子化マトリクスセットとしてカスタム量子化マトリクスセットを用いるか、規定量子化マトリクスセットを用いるかを示すフラグ（切替情報）である。なお、切替フラグが、カスタム量子化マトリクスを用いることを示している場合には、量子化マトリクス切替情報には、選択インデックスは含まれていない。
【００６２】
規定マトリクス選択部３０１５は、量子化マトリクス切替制御部３００５から選択インデックスを取得すると、その選択インデックスによって示される規定量子化マトリクスセットを、規定量子化マトリクスセットＡ〜Ｃから選択する。つまり、規定マトリクス選択部３０１５は、選択された規定量子化マトリクスを出力可能な状態にする。
【００６３】
例えば、規定マトリクス選択部３０１５は、選択インデックスが０の場合には、規定量子化マトリクスセットＡを選択し、選択インデックスが１の場合には、規定量子化マトリクスセットＢを選択する。また、規定マトリクス選択部３０１５は、選択インデックスが２の場合には、規定量子化マトリクスセットＣを選択する。ここで、切替フラグが規定量子化マトリクスセットを用いることを示しているにも関わらず、選択インデックスが存在しなかった場合は、規定マトリクス選択部３０１５は、予め定められた規則にしたがって、規定量子化マトリクスセットを選択してもよい。例えば、その予め定められた規則は、複数の規定量子化マトリクスセットのそれぞれに割り当てられている優先順位である。つまり、規定マトリクス選択部３０１５は、複数の規定量子化マトリクスセットのそれぞれに割り当てられている優先順位にしたがって、複数の規定量子化マトリクスセットの中から何れかの量子化マトリクスセットを選択する。例えば、規定マトリクス選択部３０１５は、優先順位が最も高い規定量子化マトリクスセットＡを選択しても良い。これにより、ビットストリームに選択インデックスが含まれていなくても規定量子化マトリクスを選択することができるため、ビットストリームの符号量をさらに抑えることができる。
【００６４】
カスタム／規定切替部３０１０は、量子化マトリクス切替制御部３００５から切替フラグを取得する。カスタム／規定切替部３０１０は、その切替フラグに応じて、カスタム量子化マトリクスセットおよび選択された規定量子化マトリクスセットのうちの何れか一方を使用量子化マトリクスセットとして出力可能な状態に切り替える。これにより、使用量子化マトリクスセットが設定される。つまり、切替フラグがカスタム量子化マトリクスセットを用いることを示す場合には、カスタム／規定切替部３０１０は、カスタム量子化マトリクスセットを取得して、そのカスタム量子化マトリクスセットを出力可能な状態にする。さらに、カスタム／規定切替部３０１０は、そのカスタム量子化マトリクスセットの中から、量子化モードに応じたカスタム量子化マトリクスを選択して出力する。一方、切替フラグが規定量子化マトリクスを用いることを示す場合には、カスタム／規定切替部３０１０は、選択された規定量子化マトリクスセットを使用量子化マトリクスセットとして出力可能な状態にする。さらに、カスタム／規定切替部３０１０は、その選択された規定量子化マトリクスセットの中から、量子化モードに応じた規定量子化マトリクスを選択して出力する。なお、量子化モードは、符号化対象となるブロック又はスライスのサイズと、予測モードと、輝度または色差等との組み合わせによって決定されるモードである。
【００６５】
なお、規定量子化マトリクスセットＡ、規定量子化マトリクスセットＢ、および規定量子化マトリクスセットＣは、同一のメモリに格納されていても、それぞれ別々のメモリに格納されていてもよい。
【００６６】
図４は、量子化マトリクスセットの一例を示す図である。規定量子化マトリクスセットまたはカスタム量子化マトリクスセットなどの量子化マトリクスセットは、図４に示すように、複数の量子化マトリクスを含む。例えば、量子化マトリクスセットは、４ｘ４サイズのブロックに対応する第１の量子化マトリクスと、イントラ予測される８ｘ８サイズ以上のブロックに対応する第２の量子化マトリクスと、インター予測される８ｘ８サイズ以上のブロックに対する第３の量子化マトリクスとを含んでいる。
【００６７】
量子化部２０２０は、８ｘ８サイズよりも大きい対象ブロックに対して量子化を行う場合、８ｘ８サイズの第２または第３の量子化マトリクスを、その対象ブロックのサイズに線形補間により拡張して使用する。このように、量子化部２０２０は、量子化マトリクス切替部２０３０によって設定された量子化マトリクスセットの中から、対象ブロックのサイズに対応する量子化マトリクスを選択し、選択された量子化マトリクスを用いて量子化を行う。
【００６８】
なお、量子化マトリクスセットは、１６ｘ１６サイズの量子化マトリクスおよび３２ｘ３２サイズの量子化マトリクスを含んでいてもよい。これによると、より詳細に量子化マトリクスを定義することができ、量子化による誤差を少なくし主観画質が向上する。また、線形補間以外の処理により量子化マトリクスの拡張処理を行っても構わない。このように、量子化マトリクスセットは、量子化モード（対象ブロックのサイズなど）のそれぞれに対応する全ての量子化マトリクスを含んでいてもよく、量子化モードのそれぞれに対応する量子化マトリクスを生成可能な情報を含んでいてもよい。その生成可能な情報は、例えば、図４に示す第２または第３の量子化マトリクスのような基本となる量子化マトリクスであってもよい。また、その生成可能な情報は、量子化マトリクスセットの特徴と、各量子化マトリクスの設計に関する内容と示す情報であってもよい。
【００６９】
この量子化マトリクスセットに含まれる１以上の量子化マトリクスはそれぞれ同一の特徴を持つ。この特徴は、例えば、複数の周波数係数または量子化係数に含まれる高域成分に対する量子化のレベル（量子化幅）である。細かく量子化または逆量子化することにより、言い換えれば、量子化幅を小さくすることにより、量子化または逆量子化による高域成分の劣化を少なくすることができる。
【００７０】
規定量子化マトリクスセットＡ〜Ｃは、互いに異なる特徴を持つ。
【００７１】
図５は、それぞれ異なる特徴を持つ複数の規定量子化マトリクスセットの一例を示す図である。
【００７２】
図５に示すように、規定量子化マトリクスセットＡ〜Ｃは、高域成分の圧縮率に基づいて規定されている。規定量子化マトリクスセットＣは低レート（ビットレート）用のセットであり、規定量子化マトリクスセットＡは高画質用のセットである。規定量子化マトリクスセットＢは、規定量子化マトリクスセットＡと規定量子化マトリクスセットＣとの中間的な特徴を有するセットである。低レート用のセットとは、高画質用の量子化マトリクスと比較して高周波成分がより粗く量子化されるよう規定された量子化マトリクスを含んだ量子化マトリクスセットである。この量子化マトリクスセットによって、ビットストリームが低ビットレートとなる。一方、規定量子化マトリクスセットＡに含まれる各量子化マトリクスは、高周波成分を最も細かく量子化するように規定されている。規定量子化マトリクスセットＢに含まれる各量子化マトリクスは、規定量子化マトリクスセットＡよりも高周波成分を粗く量子化するように規定されている。規定量子化マトリクスセットＣに含まれる各量子化マトリクスは、高周波成分を最も粗く量子化するように規定されている。言い換えれば、規定量子化マトリクスセットに含まれる各量子化マトリクスの高域成分の量子化幅（量子化値）は、規定量子化マトリクスセットＡ、規定量子化マトリクスセットＢ、規定量子化マトリクスセットＣの順に大きくなる。これによると、求める圧縮率に応じた量子化マトリクスを選択可能となり、主観画質の改善が期待できる。
【００７３】
このように、本実施の形態では、複数の規定量子化マトリクスセットに、第１セット（規定量子化マトリクスセットＡ）と第２セット（規定量子化マトリクスセットＢ）とがそれぞれ含まれている場合、第１セットに含まれる、対象ブロックのサイズに対応する量子化マトリクスと、第２セットに含まれる、対象ブロックのサイズに対応する量子化マトリクスとにおいて、高域の同一周波数に対応するそれぞれの量子化値は互いに異なる。また、複数の規定量子化マトリクスセットのそれぞれは、互いに異なる複数の量子化値を有する量子化マトリクスを含む。つまり、複数の規定量子化マトリクスセットのそれぞれは、全て同一の量子化値からなるフラットな量子化マトリクスのみから構成されていない。
【００７４】
なお、本実施の形態におけるメモリ３０２０は、圧縮率または画質に対応した複数の規定量子化マトリクスセットを格納していているが、例えば画像の種類に応じた複数の規定量子化マトリクスセットを格納していても良い。例えば、メモリ３０２０は、カメラの撮影によって得られた画像（自然画像）用の規定量子化マトリクスセットと、ＣＧ（Ｃｏｍｐｕｔｅｒ Ｇｒａｐｈｉｃｓ）またはアニメーションといった人工的に作成された画像（人工画像）用の規定量子化マトリクスセットとを格納してもよい。人工画像は自然画像と比較して急峻なエッジ情報を多く含むため、高域成分の劣化が画質に影響しやすい。そのため、人工画像用の量子化マトリクスを、自然画像用の量子化マトリクスと比較して、高域成分が細かく量子化されるように規定することで、人工画像の量子化における視覚的な劣化を抑えることが可能である。これによると、ＣＧ画像と自然画像が混在しているようなシーケンスまたはピクチャにおいて、それぞれの画像に適した量子化マトリクスを選択でき、画質の向上が期待できる。なお、これらの量子化マトリクスセットの規定手法は独立している必要はなく、上で述べた低レート用および高画質用と、自然画像用および人工画像用とを組み合わせてもよい。例えば、低レートの自然画像用、低レートの人工画像用、高画質な自然画像用、および高画質な人工画像用の４種類の量子化マトリクスセットを規定し、それらを規定量子化マトリクスセットとしてメモリ３０２０に格納していても良い。
【００７５】
なお、複数の規定量子化マトリクスセットの中に、例えば規定量子化マトリクスセットＡとして、ＨＥＶＣで規定されるデフォルトマトリクスが含まれていても良い。
【００７６】
図６は、図２に示すステップＳ１０１およびＳ１０２の量子化マトリクス設定処理の一例を示すフローチャートである。なお、ステップＳ１０１およびＳ１０２の量子化マトリクス設定処理は、処理の対象とされる単位がシーケンス単位とピクチャ単位とで異なるのみであって、同様の処理である。
【００７７】
まず、カスタム／規定切替部３０１０は、量子化マトリクス切替情報から分離された切替フラグに基づいて、カスタム量子化マトリクスセットを使用するか否かを判定する（Ｓ３０１）。カスタム量子化マトリクスセットを使用すると判定すると（Ｓ３０１でＹｅｓ）、カスタム／規定切替部３０１０は、カスタム量子化マトリクスセットを使用量子化マトリクスセットとして選択する（Ｓ３０２）。つまり、カスタム／規定切替部３０１０は、カスタム量子化マトリクスセットを出力可能な状態に設定する。
【００７８】
一方、カスタム量子化マトリクスを使用しないと判定すると（Ｓ３０１でＮｏ）、カスタム／規定切替部３０１０は、規定量子化マトリクスセットを使用量子化マトリクスセットとして選択する。このときには、まず、規定マトリクス選択部３０１５は、複数の規定量子化マトリクスセットＡ〜Ｃの中の何れかのセットを指定する選択インデックスを取得する（Ｓ３０３）。規定マトリクス選択部３０１５は、複数の規定量子化マトリクスセットＡ〜Ｃから、取得した選択インデックスに対応する規定量子化マトリクスセットを選択する。つまり、規定マトリクス選択部３０１５は、その規定量子化マトリクスセットを出力可能な状態にする。そして、カスタム／規定切替部３０１０は、この規定マトリクス選択部３０１５によって選択された規定量子化マトリクスセットを、使用量子化マトリクスセットとして選択する（Ｓ３０４）。つまり、カスタム／規定切替部３０１０は、選択された規定量子化マトリクスセットを出力可能な状態に設定する。
【００７９】
このように、本実施の形態では、量子化マトリクス切替部２０３０は、カスタム量子化マトリクスセットを用いるか否かを判定する。そして、量子化マトリクス切替部２０３０は、その判定結果に基づいて、カスタム量子化マトリクスセットか、規定量子化マトリクスセットＡ〜Ｃの中の何れか１つかを、対象ブロックの量子化に用いる量子化マトリクスセットとして選択する。また、可変長符号化部２０２５は、その判定結果を示す切替情報（切替フラグ）を識別情報（量子化マトリクス切替情報）の少なくとも一部として符号化（可変長符号化）する。
【００８０】
なお、ＨＥＶＣ規格では、予め規定されたデフォルトマトリクスを使用するか、カスタム量子化マトリクスを使用するかを切り替えている。
【００８１】
なお、ステップＳ３０３およびＳ３０４では、選択インデックスを用いずに規定量子化マトリクスセットを選択してもよい。例えば、符号化装置２０００は、１以上の規定量子化マトリクスセットのそれぞれを用いた量子化を試行して、ユーザによって指定された規定量子化マトリクスセットを選択してもよい。または、符号化装置２０００は、量子化または逆量子化の対象となる画像の特徴または状態を解析して、１以上の規定量子化マトリクスセットの中から、その解析結果に応じた規定量子化マトリクスセットを選択してもよい。
【００８２】
図７は、図２に示すステップＳ１０７の量子化の一例を示すフローチャートである。
【００８３】
まず、量子化部２０２０は、量子化マトリクス切替部２０３０によって設定された使用量子化マトリクスセットの中から量子化モードに応じた量子化マトリクスを取得する（Ｓ６０１）。量子化部２０２０は、取得した量子化マトリクスを用いて、周波数係数に対して量子化を行う（Ｓ６０２）。ステップＳ６０１の量子化マトリクスの取得では、量子化部２０２０は、ステップＳ１０１またはＳ１０２で設定された量子化マトリクスセットに含まれる量子化マトリクスを取得する。この際、量子化部２０２０は、対象ブロックのサイズまたは予測画像生成時の予測情報などの対象ブロックの特徴（量子化モード）に応じた量子化マトリクスを取得する。
【００８４】
なお、量子化部２０２０は、ステップＳ６０１およびＳ６０２の処理を行う前に、量子化マトリクスを使用するか否かを判定し、その判定結果によって処理を切り換えてもよい。例えば、量子化マトリクスを用いないと判定した場合は、量子化部２０２０は、全ての周波数成分に対して同一の値で量子化を行う。そして、量子化マトリクスを用いると判定した場合においてのみ、量子化部２０２０は、ステップＳ６０１およびＳ６０２の処理を行う。
【００８５】
また、逆量子化部２０３５は、ステップＳ１０９において、ステップＳ１０７とほぼ同様の処理を行う。この際、逆量子化部２０３５は、ステップＳ１０７に含まれるステップＳ６０２の量子化の代わりに、逆量子化を行うことで、ステップＳ１０９の処理を実現する。
【００８６】
図８は、図２に示すステップＳ１０８の可変長符号化の一例を示すフローチャートである。
【００８７】
まず、可変長符号化部２０２５は、図２に示すステップＳ１０７の量子化によって得られる係数情報（複数の量子化係数）の符号化（可変長符号化）を行う（Ｓ７０１）。次に、可変長符号化部２０２５は、シーケンス単位の量子化マトリクス情報追加処理を行う（Ｓ７０２）。この量子化マトリクス情報追加処理は、シーケンス単位の量子化マトリクスを使用するか否か、さらに、使用する場合の具体的な量子化マトリクスの設計など、量子化マトリクスに関係する情報（量子化マトリクス情報）をビットストリームに追加する処理である。例えば、可変長符号化部２０２５は、そのシーケンス単位の量子化マトリクス情報を可変長符号化してビットストリームのＳＰＳ（Ｓｅｑｕｅｎｃｅ  Ｐａｒａｍｅｔｅｒ  Ｓｅｔ）に追加する。最後に、可変長符号化部２０２５は、ピクチャ単位の量子化マトリクス情報追加処理を行う（Ｓ７０３）。例えば、可変長符号化部２０２５は、そのピクチャ単位の量子化マトリクス情報を可変長符号化してビットストリームのＰＰＳ（Ｐｉｃｔｕｒｅ  Ｐａｒａｍｅｔｅｒ  Ｓｅｔ）に追加する。なお、ステップＳ７０２およびＳ７０３において追加される量子化マトリクス情報の適用範囲はピクチャとシーケンスとで異なる。
【００８８】
図９は、図８に示すステップＳ７０２およびＳ７０３の量子化マトリクス情報追加処理の一例を示すフローチャートである。
【００８９】
まず、可変長符号化部２０２５は、量子化マトリクス切替情報に基づいて、カスタム量子化マトリクスを使用するかの判定を行う（Ｓ８０１）。ここで、可変長符号化部２０２５は、カスタム量子化マトリクスを使用すると判定すると（Ｓ８０１でＹｅｓ）、カスタム量子化マトリクスセットを使用することを示す切替フラグをビットストリームに追加する（Ｓ８０２）。その後、可変長符号化部２０２５は、カスタム量子化マトリクスセットをビットストリームに追加する（Ｓ８０３）。これにより、切替フラグのみからなる量子化マトリクス切替情報と、カスタム量子化マトリクスセットとを含む量子化マトリクス情報が可変長符号化されてビットストリームに追加される。
【００９０】
一方、カスタム量子化マトリクスを使用しないと判定すると（Ｓ８０１でＮｏ）、可変長符号化部２０２５は、カスタム量子化マトリクスセットを使用しないことを示す切替フラグをビットストリームに追加する（Ｓ８０４）。その後、可変長符号化部２０２５は、選択インデックスをビットストリームに追加する（Ｓ８０５）。これにより、切替フラグおよび選択インデックスを含む量子化マトリクス切替情報が量子化マトリクス情報として可変長符号化されてビットストリームに追加される。
【００９１】
なお、可変長符号化部２０２５は、量子化マトリクス情報を可変長符号化してビットストリームに追加してもよく、量子化マトリクス情報をそのままビットストリームに追加してもよい。量子化マトリクス情報を可変長符号化する場合には、その情報量を削減できる。
【００９２】
（効果）
以上のように、本実施の形態における符号化方法は、画像をブロック単位で符号化する符号化方法であって、設定ステップ、量子化ステップおよび符号化ステップを含む。設定ステップでは、対象ブロックに対する量子化に用いる、複数の量子化マトリクスを含む量子化マトリクスセットを設定する。量子化ステップでは、設定された量子化マトリクスセットの中から、対象ブロックの特徴に基づいて選択された量子化マトリクスを用いて、対象ブロックの量子化を行う。符号化ステップでは、量子化された対象ブロックと、設定された量子化マトリクスセットを識別するための量子化マトリクス切替情報とを、互いに対応づけて符号化する。また、上記設定ステップでは、任意に指定されるカスタム量子化マトリクスセットと、それぞれ予め規定された複数の規定量子化マトリクスセットとを含む複数の量子化マトリクスセットの中から、何れかの量子化マトリクスセットを選択することによって、選択された量子化マトリクスセットを、対象ブロックの量子化に用いる使用量子化マトリクスセットとして設定する。また、複数の規定量子化マトリクスセットのそれぞれは、互いに異なる複数の量子化値を有する量子化マトリクスを含む。また、上記符号化ステップでは、設定された量子化マトリクスセットがカスタム量子化マトリクスセットである場合には、カスタム量子化マトリクスセットをさらに符号化する。
【００９３】
これにより、カスタム量子化マトリクスセットと、複数の規定量子化マトリクスセットとの中から選択された量子化マトリクスセットが、量子化に用いる量子化マトリクスセットとして設定される。したがって、規定量子化マトリクスセットが複数あるため、カスタム量子化マトリクスセットが選択される頻度を低下させることができる。また、カスタム量子化マトリクスセットが設定される場合には、そのカスタム量子化マトリクスセットは符号化されるが、規定量子化マトリクスセットが設定される場合には、その規定量子化マトリクスセットは予め規定されているため、符号化されることはない。したがって、規定量子化マトリクスセットが設定される頻度を増やすことができ、符号量を抑えることができる。また、複数の規定量子化マトリクスセットのそれぞれは、互いに異なる量子化値を有する量子化マトリクスを含むため、何れの規定量子化マトリクスセットが設定されたときにも、画質の低下を防ぐことができる。
【００９４】
つまり、複数の規定量子化マトリクスセットから、何れかの規定量子化マトリクスセットを選択して利用することで、画像の特性および想定する圧縮率に適した量子化マトリクスを少ない情報量で利用することが可能となる。その結果、情報量を増やすことなく主観画質の向上ができる。
【００９５】
なお、本開示においては、複数の規定量子化マトリクスセットは、規定量子化マトリクスセットＡ、規定量子化マトリクスセットＢおよび規定量子化マトリクスセットＣの３つであるが、２つまたはそれ以上でも構わない。
【００９６】
また、符号化の対象となる画像または通信の状態に応じて、規定量子化マトリクスセットの数を変動させてもよいし、複数の規定量子化マトリクスセットのそれぞれの優先順位を変更してもよい。つまり、量子化マトリクス切替部２０３０は、複数の規定量子化マトリクスセットのそれぞれに割り当てられている優先順位を変更する。
【００９７】
例えば、量子化マトリクス切替部２０３０は、低レート用の規定量子化マトリクスセット、または自然画像用の規定量子化マトリクスセットなど、要望される頻度が高くなると思われる圧縮率または画像の種類に適している規定量子化マトリクスセットの優先順位を上げる。そして、量子化マトリクス切替部２０３０は、その優先順位が高い規定量子化マトリクスセットの選択インデックスが０または１など小さい値で表現されるように、その選択インデックスを設定しておく。つまり、優先順位が高い規定量子化マトリクスセットほど、小さい値の選択インデックスが割り当てられる。
【００９８】
さらに、量子化マトリクス切替部２０３０は、画像または通信の状態に応じて、選択インデックスの取りうる値を変動させてもよい。例えば、量子化マトリクス切替部２０３０は、８Ｋ×４Ｋなどの大きな画像の場合、原則としてはシーケンス単位又はピクチャ単位で設定された規定量子化マトリクスセットを用いる。また、符号化装置２０００は、同一ピクチャ内に自然画像と人工画像とが存在する場合、その境界以降のはじめのスライスに対応するスライスヘッダに規定量子化マトリクスセットの更新を指示する情報を付加する。この更新によって、量子化マトリクス切替部２０３０は、自然画像用の規定量子化マトリクスセットよりも人工画像用の規定量子化マトリクスセットの方が小さい値の選択インデックスで指し示されるように、優先順位を変更する。つまり、量子化マトリクス切替部２０３０は、人工画像用の規定量子化マトリクスセットの優先順位を上げる。その結果、優先順位が高い人工画像用の規定量子化マトリクスセットに対して小さい値の選択インデックスが割り当てられる。このように、量子化マトリクス切替部２０３０は、各規定量子化マトリクスセットの選択インデックスを、その変更された優先順位に応じてリオーダリングする。
【００９９】
また、例えば、量子化マトリクス切替部２０３０は、選択インデックスの取りうる値を固定としつつも、より発生頻度が高い規定量子化マトリクスセットの選択インデックスがより小さい値となるように、各規定量子化マトリクスセットと各選択インデックスとの対応づけを更新してもよい。この構成によると、発生頻度の高い規定量子化マトリクスに対して優先順位を上げて、小さい値の選択インデックスを対応づけておくことができ、符号量をより削減できる。
【０１００】
また、量子化マトリクス切替部２０３０は、各周波数成分に対して同一の値で量子化を行う量子化マトリクス（フラットな量子化マトリクス）を含む量子化マトリクスセットを規定量子化マトリクスセットとして保持してもよい。この場合、量子化マトリクス切替部２０３０は、そのフラットな量子化マトリクスを含む規定量子化マトリクスセットの他に、フラットな量子化マトリクスを含まない２種類以上の規定量子化マトリクスセットを保持する。そして、量子化マトリクス切替部２０３０は、これらの３種類以上の規定量子化マトリクスセットのそれぞれを使用量子化マトリクスセットに切り換える。これによると、カスタム量子化マトリクスセットをビットストリームに追加することなく、選択インデックスの利用によって、各周波数成分に対して均一の値で量子化を行うことが可能となり、情報量を削減できる。
【０１０１】
なお、本実施の形態では、切替フラグと選択インデックスとを含む量子化マトリクス切替情報を用いたが、他の情報を量子化マトリクス切替情報として用いてもよい。つまり、複数の規定量子化マトリクスセットおよびカスタム量子化マトリクスセットから一つの量子化マトリクスセットを選択することができる情報（識別情報）であれば、その情報を量子化マトリクス切替情報として利用してもよい。
【０１０２】
例えば、本実施の形態における量子化マトリクス切替部２０３０は、規定マトリクス選択部３０１５とカスタム／規定切替部３０１０との２種類の切替部を有しているが、これらをまとめた１つの切替部を有しても良い。この際、カスタム量子化マトリクスセットに対しては０が対応づけられ、複数の規定量子化マトリクスセットに対しては１以上の値が対応づけられた選択インデックスを用いる。これによると、選択インデックスに基づいて直接的に量子化マトリクスセットの切り替えを実現でき、符号化処理における処理量の削減ができる。
【０１０３】
なお、規定量子化マトリクスセットに含まれる量子化マトリクスの数は、量子化モード毎に異なっても良い。例えば、４ｘ４サイズのブロックに対しては２種類の量子化マトリクスが規定され、８ｘ８サイズ以上のブロックに対しては３種類の量子化マトリクスが規定される。画質に応じて量子化マトリクスを複数規定する場合、４ｘ４サイズなどの小さいブロックに対しては、低レート用と高画質用の２種類の量子化マトリクスが規定される。そして、８ｘ８サイズ以上のブロックに対しては、低レート用と通常画質（通常レート）用と高画質用の３種類の量子化マトリクスが規定される。通常画質用の量子化マトリクスは、高域成分の量子化の粗さが、他の２種類の量子化マトリクスの粗さの中間程度であるような量子化マトリクスである。これは、ブロックのサイズが大きいほど量子化に伴う画質劣化の影響範囲が大きくなるため、低レート用と通常画質用と高画質用の量子化マトリクスを用意することで、より柔軟に主観画質を向上させることができる。
【０１０４】
なお、本開示においては、入力画像に対して周波数変換を行うような構成で説明を行っているがこの限りではない。例えば、符号化済の画像情報を用いて入力画像に似た予測画像を生成し、入力画像と予測画像との差分である差分画像に対して周波数変換を施してもよい。更に、入力画像および差分画像を特定サイズのブロック（例：１６画素×１６画素）に分割してそれらに周波数変換を施してよい。
【０１０５】
なお、本実施の形態におけるステップＳ１０１およびＳ１０２の量子化マトリクス設定処理では、量子化モードに関わらず、複数の量子化マトリクスの切替および設定を量子化マトリクスセットの単位で一括に行っている。しかし、量子化モードで選択される単位において量子化マトリクスの切替および設定を行ってもよい。この場合、符号化装置２０００は、量子化モードで選択される単位毎に、カスタム量子化マトリクスを用いるか否かを示すフラグを付与してもよい。または、カスタム量子化マトリクスに含まれる全ての値が、規定された値（例えば、１）になっている場合、符号化装置２０００は、複数の規定量子化マトリクスから１つのマトリクスを選択することによって、量子化マトリクスを切り換えてもよい。これによると、大きいブロックでのみ特定の量子化マトリクスを使う場合などの特殊な場合でのみ、カスタム量子化マトリクスを使用することを実現可能となり、主観画質を向上できる。
【０１０６】
（実施の形態２）
本開示に係る復号方法を用いた復号装置の実施の形態の一つに関して、図１０〜１３を用いて説明を行う。なお、以下では、実施の形態１で説明した内容と類似する内容については記載を省略することがある。
【０１０７】
図１０は、実施の形態２における復号装置の構成の一例を示すブロック図である。
【０１０８】
復号装置４０００は、可変長復号部４００５、逆量子化部４０１０、逆周波数変換部４０１５、量子化マトリクス切替部４０２５、加算器４０３０、ループフィルタ４０３５、フレームメモリ４０４０、イントラ予測部４０４５、インター予測部４０５０、およびイントラ／インター切替部４０５５を備える。
【０１０９】
復号装置４０００は、入力されたビットストリーム（符号列）に対して復号を行うことで、具体的には、符号列に含まれる符号化された画像をブロック単位で復号することで、復号画像を生成する。本実施の形態における復号装置４０００は、実施の形態１における符号化装置２０００によって生成されたビットストリームに対して復号を行う。
【０１１０】
その際、可変長復号部４００５は、ビットストリームに対して例えば可変長復号を行うことにより、そのビットストリームからシーケンス単位およびピクチャ単位のそれぞれの量子化マトリクス情報を取得する。量子化マトリクス情報には、少なくとも量子化マトリクス切替情報が含まれ、カスタム量子化マトリクスセットが含まれることもある。さらに、可変長復号部４００５は、ビットストリームに対して可変長復号を行うことにより、予測情報および複数の量子化係数を取得する。逆量子化部４０１０は、量子化マトリクス切替部４０２５から出力された量子化マトリクスを用いて、複数の量子化係数に対して逆量子化を行うことにより、複数の周波数係数を取得する。逆周波数変換部４０１５は、複数の周波数係数に対して逆周波数変換を行うことにより、差分ブロックを復元する。加算器４０３０は、イントラ予測部４０４５またはインター予測部４０５０によって生成された予測ブロックと、差分ブロックとを加算することより復号画像を生成する。ループフィルタ４０３５は、生成された復号画像に対して符号化の影響を軽減するためのフィルタリングを行って出力するとともに、そのフィルタリングされた復号画像をフレームメモリ４０４０に格納する。このフィルタリングは、例えば、ブロック境界の歪みを除去するデブロッキング・フィルタを用いたフィルタリングである。イントラ予測部４０４５は、予測情報と、加算器４０３０によって生成された復号画像とを用いたイントラ予測を行うことによって、対象ブロックに対する予測ブロックを生成する。インター予測部４０５０は、予測情報と、フレームメモリ４０４０に格納されている復号画像とを用いてインター予測を行うことによって、対象ブロックに対する予測ブロックを生成する。
【０１１１】
イントラ／インター切替部４０５５は、加算器４０３０に出力される予測ブロックを、イントラ予測によって生成された予測ブロックと、インター予測によって生成された予測ブロックとに切り替える。
【０１１２】
量子化マトリクス切替部４０２５は、量子化マトリクス情報に含まれる量子化マトリクス切替情報を取得すると、その量子化マトリクス切替情報に基づいて、複数の量子化マトリクスセットの中から何れかの量子化マトリクスセットを選択する。そして、量子化マトリクス切替部４０２５は、その選択された量子化マトリクスセットを使用量子化マトリクスセットとして設定する。
【０１１３】
また、量子化マトリクス切替部２０３０は、量子化マトリクス情報に含まれるカスタム量子化マトリクスセットを取得すると、複数の量子化マトリクスセットの中からそのカスタム量子化マトリクスセットを選択する。そして、量子化マトリクス切替部４０２５は、その選択されたカスタム量子化マトリクスセットを使用量子化マトリクスセットとして設定する。以下、この量子化マトリクスセットの選択および設定を量子化マトリクス設定処理という。そして、量子化マトリクス切替部４０２５は、その使用量子化マトリクスセットに含まれる量子化マトリクスを逆量子化部４０１０に出力する。なお、この量子化マトリクス切替部４０２５は、実施の形態１の量子化マトリクス切替部２０３０と同一の構成を有する。
【０１１４】
図１１は、実施の形態２における復号処理のフローチャートである。
【０１１５】
可変長復号部４００５および量子化マトリクス切替部４０２５は、ビットストリームに対して、シーケンス単位の量子化マトリクス復号処理を行う（Ｓ１１０１）。この量子化マトリクス復号処理は、シーケンス単位の量子化マトリクス情報の復号と、量子化マトリクス設定処理とを含む。続いて、可変長復号部４００５および量子化マトリクス切替部４０２５は、ピクチャ単位の量子化マトリクス復号処理を行う（Ｓ１１０２）。この量子化マトリクス復号処理は、ピクチャ単位の量子化マトリクス情報の復号と、量子化マトリクス設定処理とを含む。
【０１１６】
次に、可変長復号部４００５は、ビットストリームに対し可変長復号を行うことによって、予測情報および複数の量子化係数を取得する（Ｓ１１０３）。本実施の形態では、ステップＳ１１０１またはＳ１１０２と、ステップＳ１１０３とによって、符号列に含まれる対象ブロックと、その対象ブロックに対応づけて符号化された識別情報であって、対象ブロックに対する逆量子化に用いる、複数の量子化マトリクスを含む量子化マトリクスセットを識別するための識別情報（量子化マトリクス切替情報）とが復号される。
【０１１７】
逆量子化部４０１０は、ステップＳ１１０３で取得された各量子化係数に対し、逆量子化を行う（Ｓ１１０４）。逆周波数変換部４０１５は、ステップＳ１１０４の逆量子化によって得られた複数の周波数係数に対して逆周波数変換を行うことによって、差分ブロックを復元する（Ｓ１１０５）。イントラ予測部４０４５、インター予測部４０５０およびイントラ／インター切替部４０５５は、ブロック毎に、既に生成された復号画像を利用して予測ブロックを生成する（Ｓ１１０６）。加算器４０３０は、ステップＳ１１０５で復元した差分ブロックとステップＳ１１０６で生成した予測ブロックとより、復号画像を生成する（Ｓ１１０７）。復号装置４０００は、ステップＳ１１０３〜Ｓ１１０７までの処理がピクチャの全体に対して行われたか否か、つまりピクチャ全体の復号が完了したか否かを判定する（Ｓ１１０８）。ここで、完了していないと判定すると（Ｓ１１０８でＮｏ）、復号装置４０００は、ステップＳ１１０３からの処理を繰り返す。一方、ピクチャ全体の復号が完了したと判定すると（Ｓ１１０８でＹｅｓ）、復号装置４０００は、シーケンス全体の復号が完了したか否かを判定する（Ｓ１１０９）。ここで、完了していないと判定すると（Ｓ１１０９でＮｏ）、復号装置４０００は、ステップＳ１１０２からの処理を繰り返す。一方、シーケンス全体の復号が完了したと判定すると（Ｓ１１０９でＹｅｓ）、復号装置４０００は、ビットストリームのシーケンス単位の復号の処理を終了する。
【０１１８】
図１２は、図１１に示すステップＳ１１０１およびＳ１１０２の量子化マトリクス復号処理のフローチャートである。なお、ステップＳ１１０１およびＳ１１０２の量子化マトリクス復号処理は、処理の対象とされる単位がシーケンス単位とピクチャ単位とで異なるのみであって、同様の処理である。
【０１１９】
まず、可変長復号部４００５は、ビットストリームに含まれる可変長符号化された切替フラグを復号（可変長復号）する（Ｓ１２０１）。次に、可変長復号部４００５は、その復号された切替フラグに基づいて、カスタム量子化マトリクス（カスタム量子化マトリクスセット）を使用するか否かを判定する（Ｓ１２０２）。ここで、可変長復号部４００５は、使用しないと判定すると（Ｓ１２０２でＮｏ）、ビットストリームに含まれる可変長符号化された選択インデックスを復号（可変長復号）する（Ｓ１２０３）。これにより、切替フラグおよび選択インデックスを含む量子化マトリクス切替情報が量子化マトリクス情報として取得される。
【０１２０】
一方、可変長復号部４００５は、カスタム量子化マトリクスを使用すると判定すると（Ｓ１２０２でＹｅｓ）、ビットストリームに含まれる可変長符号化されたカスタム量子化マトリクスセットを復号（可変長復号）する（Ｓ１２０４）。これにより、切替フラグのみからなる量子化マトリクス切替情報と、カスタム量子化マトリクスセットとを含む量子化マトリクス情報が取得される。
【０１２１】
次に、量子化マトリクス切替部４０２５は、ステップＳ１２０１と、ステップＳ１２０３またはステップＳ１２０４とによって得られた量子化マトリクス情報を用いて、量子化マトリクス設定処理を行う（Ｓ１２０５）。このとき、図１１に示すステップＳ１１０１のシーケンス単位の量子化マトリクス復号処理では、量子化マトリクス切替部４０２５は、シーケンス単位の量子化マトリクス設定処理を行う。また、図１１に示すステップＳ１１０２のピクチャ単位の量子化マトリクス復号処理では、量子化マトリクス切替部４０２５は、ピクチャ単位の量子化マトリクス設定処理を行う。シーケンス単位の量子化マトリクス設定処理およびピクチャ単位の量子化マトリクス設定処理は、図２に示すステップＳ１０１およびＳ１０２の処理と同一である。つまり、このときに、量子化マトリクス切替部４０２５は、識別情報である量子化マトリクス切替情報によって識別される量子化マトリクスセットを設定する。また、量子化マトリクス設定処理では、量子化マトリクス切替部４０２５は、カスタム量子化マトリクスセットと、図５に示す複数の規定量子化マトリクスセットＡ〜Ｃとから、何れかの量子化マトリクスセットを使用量子化マトリクスセットとして選択する。
【０１２２】
このように、本実施の形態では、ステップＳ１２０１において、量子化マトリクス切替情報（識別情報）に含まれる、カスタム量子化マトリクスセットを用いるか否かを示す切替フラグ（切替情報）が復号される。そして、ステップＳ１２０５では、その切替フラグに基づいて、カスタム量子化マトリクスセットか、複数の規定量子化マトリクスセットＡ〜Ｃの中の何れか１つかが、対象ブロックの逆量子化に用いる量子化マトリクスセットとして選択される。
【０１２３】
図１３は、図１１に示すステップＳ１１０４の逆量子化のフローチャートである。
【０１２４】
まず、逆量子化部４０１０は、逆量子化に用いる量子化マトリクスを取得する（Ｓ１４０１）。具体的には、逆量子化部４０１０は、ステップＳ１１０１またはステップＳ１１０２で設定された使用量子化マトリクスセットに含まれる量子化マトリクスを取得する。この時も、図２に示すステップＳ１０７の量子化と同様に、逆量子化部４０１０は、量子化モード毎に異なる量子化マトリクスを取得してもよい。または、逆量子化部４０１０は、量子化マトリクスを使用するか否かを切り替えるフラグを用いて量子化マトリクスを使用しない逆量子化を行っても良い。
【０１２５】
次に、逆量子化部４０１０は、取得した量子化マトリクスを使用して逆量子化を行う（Ｓ１４０２）。
【０１２６】
例えば、本実施の形態では、逆量子化部４０１０は、設定された使用量子化マトリクスセットの中から、対象ブロックのサイズに対応する量子化マトリクスを選択し、選択された量子化マトリクスを用いて逆量子化を行う。
【０１２７】
（効果）
以上のように、本実施の形態における復号方法は、符号列に含まれる符号化された画像をブロック単位で復号する復号方法であって、復号ステップ、設定ステップおよび逆量子化ステップを含む。復号ステップでは、符号列に含まれる対象ブロックと、その対象ブロックに対応づけて符号化された情報であって、その対象ブロックに対する逆量子化に用いる、複数の量子化マトリクスを含む量子化マトリクスセットを識別するための量子化マトリクス切替情報（識別情報）とを復号する。設定ステップでは、量子化マトリクス切替情報によって識別される量子化マトリクスセットを設定する。逆量子化ステップでは、設定されたその量子化マトリクスセットの中から、対象ブロックの特徴に基づいて選択された量子化マトリクスを用いて、復号された対象ブロックに対する逆量子化を行う。また、上記設定ステップでは、符号列に含まれるカスタム量子化マトリクスセットと、それぞれ予め規定された複数の規定量子化マトリクスセットとを含む複数の量子化マトリクスセットの中から、何れかの量子化マトリクスセットを量子化マトリクス切替情報に基づいて選択することによって、選択された量子化マトリクスセットを、その対象ブロックの逆量子化に用いる量子化マトリクスセットとして設定する。また、複数の規定量子化マトリクスセットのそれぞれは、互いに異なる量子化値を有する量子化マトリクスを含む。また、上記復号ステップでは、量子化マトリクス切替情報によって識別される量子化マトリクスセットがカスタム量子化マトリクスセットである場合には、符号列に含まれるカスタム量子化マトリクスセットをさらに復号する。
【０１２８】
これにより、カスタム量子化マトリクスセットと、複数の規定量子化マトリクスセットとの中から選択された量子化マトリクスセットが、逆量子化に用いる量子化マトリクスセットとして設定される。したがって、規定量子化マトリクスセットが複数あるため、カスタム量子化マトリクスセットが選択される頻度を低下させることができる。また、カスタム量子化マトリクスセットが設定される場合には、そのカスタム量子化マトリクスセットは復号されるが、規定量子化マトリクスセットが設定される場合には、その規定量子化マトリクスセットは予め規定されているため、復号されることはない。したがって、規定量子化マトリクスセットが設定される頻度を増やすことができ、符号量を抑えることができる。また、複数の規定量子化マトリクスセットのそれぞれは、互いに異なる量子化値を有する量子化マトリクスを含むため、何れの規定量子化マトリクスセットが設定されたときにも、画質の低下を防ぐことができる。
【０１２９】
つまり、複数の規定量子化マトリクスセットを用いた符号化によって生成されたビットストリームであって、これら規定量子化マトリクスセットを指定する情報を含んだビットストリームを、適切に復号することが可能である。また、本実施の形態では、複数の規定量子化マトリクスセットから使用量子化マトリクスセットを少ない情報量で選択して使用することができるビットストリームを、適切に復号することができる。つまり、少ない情報量で画像の特性または圧縮率に適した量子化マトリクスを使用し、主観的な画質が向上した画像を再生することが可能となる。
【０１３０】
なお、本実施の形態では、ステップＳ１２０３において、選択インデックスを復号したが、ビットストリームに選択インデックスが存在していなくても良い。例えば、選択インデックスが存在しない場合に関する規則が予め定められている。そして、復号装置４０００は、ステップＳ１２０３において選択インデックスが存在していなかった場合には、その規則に沿って選択インデックスを取得する。例えば、復号装置４０００は、選択インデックスとして０を取得する。また、復号装置４０００は、この規則を示す情報がビットストリームに含まれている場合には、その情報をビットストリームから取り出して、選択インデックスの取得に用いてもよい。これによると、シーケンス単位またはピクチャ単位ごとに選択インデックスをビットストリームに含める必要がないため、情報量の削減が期待できる。
【０１３１】
なお、実施の形態１と同様に、規定量子化マトリクスセットの個数は２個以上であれば何種類であっても構わない。つまり、量子化マトリクス切替部４０２５は、実施の形態１の量子化マトリクス切替部２０３０と同様、フラットな量子化マトリクスを含む規定量子化マトリクスセットの他に、フラットな量子化マトリクスを含まない２種類以上の量子化マトリクスセットを保持する。
【０１３２】
また、実施の形態１と同様に、量子化マトリクス切替部４０２５は２種類の切替部を有していてもよく、それらをまとめた１つの切替部を有していてもよい。また、規定量子化マトリクスセットに含まれる量子化マトリクスの数は、量子化モード毎に異なっても良い。また、量子化マトリクス切替部４０２５は、量子化マトリクスセットの切り替えではなく、量子化モードで選択される単位において量子化マトリクスの切り替えを行ってもよい。また、復号装置４０００は、実施の形態１で例示したような優先順位の更新に関する情報（更新情報）をスライスヘッダ等から復号して、その更新情報にしたがって、優先順位を更新したり、使用量子化マトリクスセットの切り替えを行ってもよい。
【０１３３】
このように、本実施の形態においても、実施の形態１と同様に、量子化マトリクス切替部４０２５は、複数の規定量子化マトリクスセットのそれぞれに割り当てられている優先順位にしたがって、複数の量子化マトリクスセットの中から何れかの量子化マトリクスセットを選択してもよい。また、量子化マトリクス切替部４０２５は、複数の規定量子化マトリクスセットのそれぞれに割り当てられている優先順位を変更してもよい。
【０１３４】
また、復号装置４０００は、その更新情報が適切なものでなかった場合には、その更新情報を無視して使用量子化マトリクスセットを切り替えなくてもよい。または、復号装置４０００は、デフォルトマトリクスの優先順位を最も高くするなど、所定の優先順位に設定し直してもよい。
【０１３５】
なお、復号装置４０００は、ビットストリームに、選択インデックスとして取りうる値を超えた値が付加されているなど適切な情報が付加されていない場合には、デフォルトマトリクスを用いたり、低ビットレート用の量子化マトリクスセットを用いてもよい。
【０１３６】
以上のように、本開示における技術の例示として、上記各実施の形態を説明した。そのために、添付図面および詳細な説明を提供した。
【０１３７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３８】
例えば、上記実施の形態１における符号化装置２０００は、イントラ予測部２０５０およびインター予測部２０６５などを備えているが、図１４Ａのように、それらを備えていなくてもよい。
【０１３９】
図１４Ａは、本発明の一態様に係る符号化装置の構成の一例を示すブロック図である。
【０１４０】
この符号化装置１０は、画像をブロック単位で符号化する符号化装置であって、設定部１１と、量子化部１２と、符号化部１３とを備える。設定部１１は、対象ブロックに対する量子化に用いる、複数の量子化マトリクスを含む量子化マトリクスセットを設定する。量子化部１２は、設定された量子化マトリクスセットの中から、その対象ブロックの特徴に基づいて選択された量子化マトリクスを用いて、その対象ブロックの量子化を行う。符号化部１３は、量子化された対象ブロックと、設定された量子化マトリクスセットを識別するための識別情報とを、互いに対応づけて符号化する。また、設定部１１は、任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された量子化マトリクスセットを、対象ブロックの量子化に用いる量子化マトリクスセットとして設定する。また、複数の第２の量子化マトリクスセットのそれぞれは、互いに異なる量子化値を有する量子化マトリクスを含む。また、符号化部１３は、設定された量子化マトリクスセットが第１の量子化マトリクスセットである場合には、第１の量子化マトリクスセットをさらに符号化する。
【０１４１】
このような符号化装置１０であっても、上記実施の形態１の符号化装置２０００と同様の効果を奏することができる。
【０１４２】
また、上記実施の形態１における符号化方法は、予測ブロックの生成（図２のＳ１０４）などを含むが、図１４Ｂのように、その処理を含んでいなくてもよい。
【０１４３】
図１４Ｂは、本発明の一態様に係る符号化方法の一例を示すフローチャートである。
【０１４４】
この符号化方法は、画像をブロック単位で符号化する符号化方法であって、設定ステップＳ１１と、量子化ステップＳ１２と、符号化ステップＳ１３とを含む。設定ステップＳ１１では、対象ブロックに対する量子化に用いる、複数の量子化マトリクスを含む量子化マトリクスセットを設定する。量子化ステップＳ１２では、設定された量子化マトリクスセットの中から、その対象ブロックの特徴に基づいて選択された量子化マトリクスを用いて、その対象ブロックの量子化を行う。符号化ステップＳ１３では、量子化された対象ブロックと、設定された量子化マトリクスセットを識別するための識別情報とを、互いに対応づけて符号化する。また、設定ステップＳ１１では、任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された量子化マトリクスセットを、対象ブロックの量子化に用いる量子化マトリクスセットとして設定する。また、複数の第２の量子化マトリクスセットのそれぞれは、互いに異なる複数の量子化値を有する量子化マトリクスを含む。また、符号化ステップＳ１３では、設定された量子化マトリクスセットが第１の量子化マトリクスセットである場合には、第１の量子化マトリクスセットをさらに符号化する。
【０１４５】
このような符号化方法であっても、上記実施の形態１の符号化方法と同様の効果を奏することができる。
【０１４６】
また、上記実施の形態２における復号装置４０００は、イントラ予測部４０４５およびインター予測部４０５０などを備えているが、図１５Ａのように、それらを備えていなくてもよい。
【０１４７】
図１５Ａは、本発明の一態様に係る復号装置の構成の一例を示すブロック図である。
【０１４８】
この復号装置２０は、符号列に含まれる符号化された画像をブロック単位で復号する復号装置であって、復号部２１と、設定部２２と、逆量子化部２３とを備える。復号部２１は、符号列に含まれる対象ブロックと、その対象ブロックに対応づけて符号化された識別情報であって、対象ブロックに対する逆量子化に用いる、複数の量子化マトリクスを含む量子化マトリクスセットを識別するための識別情報とを復号する。設定部２２は、識別情報によって識別される量子化マトリクスセットを設定する。逆量子化部２３は、設定された量子化マトリクスセットの中から、対象ブロックの特徴に基づいて選択された量子化マトリクスを用いて、復号された対象ブロックに対する逆量子化を行う。また、上記設定部２２は、符号列に含まれる第１の量子化マトリクスセットと、それぞれ予め規定された複数の第２の量子化マトリクスセットとを含む複数の量子化マトリクスセットの中から、何れかの量子化マトリクスセットを識別情報に基づいて選択することによって、選択された量子化マトリクスセットを、対象ブロックの逆量子化に用いる量子化マトリクスセットとして設定する。また、複数の第２の量子化マトリクスセットのそれぞれは、互いに異なる量子化値を有する量子化マトリクスを含む。また、上記復号部２１は、識別情報によって識別される量子化マトリクスセットが第１の量子化マトリクスセットである場合には、符号列に含まれる第１の量子化マトリクスセットをさらに復号する。
【０１４９】
このような復号装置２０であっても、上記実施の形態２の復号装置４０００と同様の効果を奏することができる。
【０１５０】
また、上記実施の形態２における復号方法は、予測ブロックの生成（図１１のＳ１１０６）などを含むが、図１５Ｂのように、その処理を含んでいなくてもよい。
【０１５１】
図１５Ｂは、本発明の一態様に係る復号方法の一例を示すフローチャートである。
【０１５２】
この復号方法は、符号列に含まれる符号化された画像をブロック単位で復号する復号方法であって、復号ステップＳ２１と、設定ステップＳ２２と、逆量子化ステップＳ２３とを含む。復号ステップＳ２１では、符号列に含まれる対象ブロックと、その対象ブロックに対応づけて符号化された識別情報であって、対象ブロックに対する逆量子化に用いる、複数の量子化マトリクスを含む量子化マトリクスセットを識別するための識別情報とを復号する。設定ステップＳ２２では、識別情報によって識別される量子化マトリクスセットを設定する。逆量子化ステップＳ２３では、設定された量子化マトリクスセットの中から、その対象ブロックの特徴に基づいて選択された量子化マトリクスを用いて、復号された対象ブロックに対する逆量子化を行う。また、設定ステップＳ２２では、符号列に含まれる第１の量子化マトリクスセットと、それぞれ予め規定された複数の第２の量子化マトリクスセットとを含む複数の量子化マトリクスセットの中から、何れかの量子化マトリクスセットを識別情報に基づいて選択することによって、選択された量子化マトリクスセットを、対象ブロックの逆量子化に用いる量子化マトリクスセットとして設定する。また、複数の第２の量子化マトリクスセットのそれぞれは、互いに異なる量子化値を有する量子化マトリクスを含む。また、復号ステップＳ２１では、識別情報によって識別される量子化マトリクスセットが第１の量子化マトリクスセットである場合には、符号列に含まれる第１の量子化マトリクスセットをさらに復号する。
【０１５３】
また、上述の実施の形態は、本開示における技術を例示するためのものであるから、特許請求の範囲またはその均等の範囲において種々の変更、置き換え、付加、省略などを行うことができる。
【０１５４】
（実施の形態３）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１５５】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０１５６】
図１６は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１５７】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１５８】
しかし、コンテンツ供給システムex１００は図１６のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１５９】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１６０】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０１６１】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１６２】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１６３】
また、ストリーミングサーバex１０３は複数のサーバや複数のコンピュータであって、データを分散して処理したり記録したり配信するものであってもよい。
【０１６４】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０１６５】
なお、コンテンツ供給システムex１００の例に限らず、図１７に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０１６６】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０１６７】
図１８は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１６８】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１６９】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１７０】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０１７１】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０１７２】
一例として、光ディスクからデータの読み込みまたは書き込みをする場合の情報再生／記録部ex４００の構成を図１９に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１７３】
以上では、光ヘッドex４０１はレーザスポットを照射するとして説明したが、近接場光を用いてより高密度な記録を行う構成であってもよい。
【０１７４】
図２０に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１７５】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１７６】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図１８に示す構成のうち、ＧＰＳ受信部を加えた構成が考えられ、同様なことがコンピュータex１１１や携帯電話ex１１４等でも考えられる。
【０１７７】
図２１Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０１７８】
さらに、携帯電話ex１１４の構成例について、図２１Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１７９】
電源回路部ex３６１は、ユーザの操作により終話及び電源キーがオン状態にされると、バッテリパックから各部に対して電力を供給することにより携帯電話ex１１４を動作可能な状態に起動する。
【０１８０】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１８１】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１８２】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１８３】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１８４】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１８５】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１８６】
このように、上記各実施の形態で示した動画像符号化方法あるいは動画像復号化方法を上述したいずれの機器・システムに用いることは可能であり、そうすることで、上記各実施の形態で説明した効果を得ることができる。
【０１８７】
また、本発明はかかる上記実施の形態に限定されるものではなく、本発明の範囲を逸脱することなく種々の変形または修正が可能である。
【０１８８】
（実施の形態４）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１８９】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１９０】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０１９１】
図２２は、多重化データの構成を示す図である。図２２に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０１９２】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０１９３】
図２３は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０１９４】
図２４は、ＰＥＳパケット列に、ビデオストリームがどのように格納されるかをさらに詳しく示している。図２４における第１段目はビデオストリームのビデオフレーム列を示す。第２段目は、ＰＥＳパケット列を示す。図２４の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０１９５】
図２５は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図２５下段に示すようにソースパケットが並ぶこととなり、多重化データの先頭からインクリメントする番号はＳＰＮ（ソースパケットナンバー）と呼ばれる。
【０１９６】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０１９７】
図２６はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０１９８】
記録媒体などに記録する場合には、上記多重化データは、多重化データ情報ファイルと共に記録される。
【０１９９】
多重化データ情報ファイルは、図２７に示すように多重化データの管理情報であり、多重化データと１対１に対応し、多重化データ情報、ストリーム属性情報とエントリマップから構成される。
【０２００】
多重化データ情報は図２７に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０２０１】
ストリーム属性情報は図２８に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０２０２】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０２０３】
また、本実施の形態における動画像復号化方法のステップを図２９に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０２０４】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０２０５】
（実施の形態５）
上記各実施の形態で示した動画像符号化方法および装置、動画像復号化方法および装置は、典型的には集積回路であるＬＳＩで実現される。一例として、図３０に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２０６】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２０７】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２０８】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２０９】
なお、ここでは、ＬＳＩとしたが、集積度の違いにより、ＩＣ、システムＬＳＩ、スーパーＬＳＩ、ウルトラＬＳＩと呼称されることもある。
【０２１０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０２１１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２１２】
（実施の形態６）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２１３】
この課題を解決するために、テレビex３００、ＬＳＩex５００などの動画像復号化装置は、映像データがどの規格に準拠するものであるかを識別し、規格に応じて駆動周波数を切替える構成とする。図３１は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０２１４】
より具体的には、駆動周波数切替え部ex８０３は、図３０のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図３０の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態４で記載した識別情報を利用することが考えられる。識別情報に関しては、実施の形態４で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図３３のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２１５】
図３２は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２１６】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２１７】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２１８】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２１９】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２２０】
（実施の形態７）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２２１】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図３４Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、逆量子化に特徴を有していることから、例えば、逆量子化については専用の復号処理部ex９０１を用い、それ以外のエントロピー復号、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２２２】
また、処理を一部共有化する他の例を図３４Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０２２３】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２２４】
本開示は、例えば量子化マトリクスを使用する動画像符号化装置および復号装置に適用可能であり、具体的には、例えばテレビ、デジタルカメラ、スマートフォン、またはネット配信システムなどに適用可能である。
【符号の説明】
【０２２５】
１０，２０００    符号化装置
１１    設定部
１２，２０２０    量子化部
１３    符号化部
２０，４０００    復号装置
２１    復号部
２２    設定部
２３，４０１０    逆量子化部
２０２５    可変長符号化部（符号化部）
２０３０，４０２５    量子化マトリクス切替部（設定部）
３００５    量子化マトリクス切替制御部
３０１０    カスタム／規定切替部
３０１５    規定マトリクス選択部
３０２０    メモリ
４００５    可変長復号部（復号部）
【図１】
2016103542.tif 000003
【図２】
2016103542.tif 000004
【図３】
2016103542.tif 000005
【図４】
2016103542.tif 000006
【図５】
2016103542.tif 000007
【図６】
2016103542.tif 000008
【図７】
2016103542.tif 000009
【図８】
2016103542.tif 000010
【図９】
2016103542.tif 000011
【図１０】
2016103542.tif 000012
【図１１】
2016103542.tif 000013
【図１２】
2016103542.tif 000014
【図１３】
2016103542.tif 000015
【図１４Ａ】
2016103542.tif 000016
【図１４Ｂ】
2016103542.tif 000017
【図１５Ａ】
2016103542.tif 000018
【図１５Ｂ】
2016103542.tif 000019
【図１６】
2016103542.tif 000020
【図１７】
2016103542.tif 000021
【図１８】
2016103542.tif 000022
【図１９】
2016103542.tif 000023
【図２０】
2016103542.tif 000024
【図２１Ａ】
2016103542.tif 000025
【図２１Ｂ】
2016103542.tif 000026
【図２２】
2016103542.tif 000027
【図２３】
2016103542.tif 000028
【図２４】
2016103542.tif 000029
【図２５】
2016103542.tif 000030
【図２６】
2016103542.tif 000031
【図２７】
2016103542.tif 000032
【図２８】
2016103542.tif 000033
【図２９】
2016103542.tif 000034
【図３０】
2016103542.tif 000035
【図３１】
2016103542.tif 000036
【図３２】
2016103542.tif 000037
【図３３】
2016103542.tif 000038
【図３４Ａ】
2016103542.tif 000039
【図３４Ｂ】
2016103542.tif 000040
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
画像をブロック単位で符号化する符号化方法であって、
対象ブロックに対する量子化に用いる、複数の量子化マトリクスを含む量子化マトリクスセットを設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを含み、
前記設定ステップでは、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる複数の量子化値を有する量子化マトリクスを含み、
前記符号化ステップでは、
設定された前記量子化マトリクスセットが前記第１の量子化マトリクスセットである場合には、前記第１の量子化マトリクスセットをさらに符号化する
符号化方法。
【請求項２】
前記量子化ステップでは、
設定された前記量子化マトリクスセットの中から、前記対象ブロックのサイズに対応する量子化マトリクスを選択し、選択された前記量子化マトリクスを用いて量子化を行う
請求項１に記載の符号化方法。
【請求項３】
前記複数の第２の量子化マトリクスセットに、第１セットと第２セットとがそれぞれ第２の量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項２に記載の符号化方法。
【請求項４】
前記設定ステップでは、
前記第１の量子化マトリクスセットを用いるか否かを判定し、
前記判定結果に基づいて、前記第１の量子化マトリクスセットか、前記複数の第２の量子化マトリクスセットの中の何れか１つかを、前記対象ブロックの量子化に用いる量子化マトリクスセットとして選択し、
前記符号化ステップでは、
前記判定結果を示す切替情報を前記識別情報の少なくとも一部として符号化する、
請求項１〜３のいずれか１項に記載の符号化方法。
【請求項５】
前記設定ステップでは、
前記複数の第２の量子化マトリクスセットのそれぞれに割り当てられている優先順位にしたがって、前記複数の量子化マトリクスセットの中から何れかの量子化マトリクスセットを選択する
請求項１〜４のいずれか１項に記載の符号化方法。
【請求項６】
前記符号化方法は、さらに、前記複数の第２の量子化マトリクスセットのそれぞれに割り当てられている優先順位を変更する変更ステップを含む、
請求項５に記載の符号化方法。
【請求項７】
符号列に含まれる符号化された画像をブロック単位で復号する復号方法であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から選択された量子化マトリクスを用いて、復号された前記対象ブロックに対する逆量子化を行う逆量子化ステップとを含み、
前記設定ステップでは、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号ステップでは、
前記識別情報によって識別される量子化マトリクスセットが前記第１の量子化マトリクスセットである場合には、前記符号列に含まれる前記第１の量子化マトリクスセットをさらに復号する
復号方法。
【請求項８】
前記逆量子化ステップでは、
設定された前記量子化マトリクスセットの中から、前記対象ブロックのサイズに対応する量子化マトリクスを選択し、選択された前記量子化マトリクスを用いて逆量子化を行う
請求項７に記載の復号方法。
【請求項９】
前記複数の第２の量子化マトリクスセットに、第１セットと第２セットとがそれぞれ第２の量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項８に記載の復号方法。
【請求項１０】
前記復号ステップでは、
前記識別情報に含まれる、前記第１の量子化マトリクスセットを用いるか否かを示す切替情報を復号し、
前記設定ステップでは、
前記切替情報に基づいて、前記第１の量子化マトリクスセットか、前記複数の第２の量子化マトリクスセットの中の何れか１つかを、前記対象ブロックの逆量子化に用いる量子化マトリクスセットとして選択する、
請求項７〜９のいずれか１項に記載の復号方法。
【請求項１１】
前記設定ステップでは、
前記複数の第２の量子化マトリクスセットのそれぞれに割り当てられている優先順位にしたがって、前記複数の量子化マトリクスセットの中から何れかの量子化マトリクスセットを選択する
請求項７〜１０のいずれか１項に記載の復号方法。
【請求項１２】
前記復号方法は、さらに、
前記複数の第２の量子化マトリクスセットのそれぞれに割り当てられている優先順位を変更する変更ステップを含む、
請求項１１に記載の復号方法。
【請求項１３】
画像をブロック単位で符号化する符号化装置であって、
対象ブロックに対する量子化に用いる、複数の量子化マトリクスを含む量子化マトリクスセットを設定する設定部と、
設定された前記量子化マトリクスセットの中から選択された量子化マトリクスを用いて、前記対象ブロックの量子化を行う量子化部と、
量子化された前記対象ブロックと、設定された前記量子化マトリクスセットを識別するための識別情報とを、互いに対応づけて符号化する符号化部とを備え、
前記設定部は、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる量子化値を有する量子化マトリクスを含み、
前記符号化部は、
設定された前記量子化マトリクスセットが前記第１の量子化マトリクスセットである場合には、前記第１の量子化マトリクスセットをさらに符号化する
符号化装置。
【請求項１４】
処理回路と、前記処理回路に電気的に接続される記憶装置とを備え、画像をブロック単位で符号化する符号化装置であって、
前記処理回路は、
対象ブロックに対する量子化に用いる、複数の量子化マトリクスを含む量子化マトリクスセットを設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを実行し、
前記設定ステップでは、
任意に指定される第１の量子化マトリクスセットと、それぞれ予め規定された複数の第２の量子化マトリクスセットとを含む複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の第２の量子化マトリクスセットのそれぞれは、互いに異なる量子化値を有する量子化マトリクスを含み、
前記符号化ステップでは、
設定された前記量子化マトリクスセットが前記第１の量子化マトリクスセットである場合には、前記第１の量子化マトリクスセットをさらに符号化する
符号化装置。
【請求項１５】
符号列に含まれる符号化された画像をブロック単位で復号する復号装置であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号部と、
前記識別情報によって識別される量子化マトリクスセットを設定する設定部と、
設定された前記量子化マトリクスセットの中から選択された量子化マトリクスを用いて、復号された前記対象ブロックに対する逆量子化を行う逆量子化部とを備え、
前記設定部は、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号部は、
前記識別情報によって識別される量子化マトリクスセットが前記第１の量子化マトリクスセットである場合には、前記符号列に含まれる前記第１の量子化マトリクスセットをさらに復号する
復号装置。
【請求項１６】
処理回路と、前記処理回路に電気的に接続される記憶装置とを備え、符号列に含まれる符号化された画像をブロック単位で復号する復号装置であって、
前記処理回路は、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から選択された量子化マトリクスを用いて、復号された前記対象ブロックに対する逆量子化を行う逆量子化ステップとを実行し、
前記設定ステップでは、
前記符号列に含まれる第１の量子化マトリクスセットと、それぞれ予め規定された複数の第２の量子化マトリクスセットとを含む複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の第２の量子化マトリクスセットのそれぞれは、互いに異なる量子化値を有する量子化マトリクスを含み、
前記復号ステップでは、
前記識別情報によって識別される量子化マトリクスセットが前記第１の量子化マトリクスセットである場合には、前記符号列に含まれる前記第１の量子化マトリクスセットをさらに復号する
復号装置。
【請求項１７】
動画の画像をブロック単位で符号化する符号化方法であって、
対象ブロックに対する量子化に用いる、複数の量子化マトリクスを含む量子化マトリクスセットを設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを含み、
前記設定ステップでは、
それぞれ予め規定された複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の量子化マトリクスセットのそれぞれは、互いに異なる複数の量子化値を有する量子化マトリクスを含む、
符号化方法。
【請求項１８】
符号列に含まれる符号化された画像をブロック単位で復号する復号方法であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から選択された量子化マトリクスを用いて、復号された前記対象ブロックに対する逆量子化を行う逆量子化ステップとを含み、
前記設定ステップでは、
それぞれ予め規定された複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の量子化マトリクスセットのそれぞれは、互いに異なる量子化値を有する量子化マトリクスを含む
復号方法。
【請求項１９】
前記第１の量子化マトリクスセットと前記複数の第２の量子化マトリクスセットとのそれぞれは、少なくとも第１の予測モードに対応する量子化マトリクスと第２の予測モードに対応する量子化マトリクスとを備える
請求項１に記載の符号化方法。
【請求項２０】
前記第１の量子化マトリクスセットと前記複数の第２の量子化マトリクスセットとのそれぞれは、少なくともイントラ予測に対応する量子化マトリクスとインター予測に対応する量子化マトリクスとを備える
請求項７に記載の復号方法。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
動画像をブロック単位で符号化する符号化方法であって、
対象ブロックに対する量子化に用いる、複数の量子化マトリクスを含む量子化マトリクスセットを前記動画像の所定の単位ごとに設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを含み、
前記設定ステップでは、
任意に指定される任意量子化マトリクスセットと、それぞれ予め規定された複数のデフォルト量子化マトリクスセットとの中から、何れかひとつを前記動画像の所定の単位ごとに選択することによって、選択された前記量子化マトリクスセットを、前記対象ブロックの量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記符号化ステップでは、
設定された前記量子化マトリクスセットが前記任意量子化マトリクスセットである場合には、前記任意量子化マトリクスセットをさらに符号化する
符号化方法。
【請求項２】
前記量子化ステップでは、
設定された前記量子化マトリクスセットの中から、前記対象ブロックのサイズに対応する量子化マトリクスを選択し、選択された前記量子化マトリクスを用いて量子化を行う
請求項１に記載の符号化方法。
【請求項３】
前記複数のデフォルト量子化マトリクスセットに、第１セットと第２セットとがそれぞれデフォルト量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項２に記載の符号化方法。
【請求項４】
前記設定ステップでは、
前記任意量子化マトリクスセットを用いるか否かを判定し、
前記判定結果に基づいて、前記任意量子化マトリクスセットか、前記複数のデフォルト量子化マトリクスセットの中の何れか１つかを、前記対象ブロックの量子化に用いる量子化マトリクスセットとして選択し、
前記符号化ステップでは、
前記判定結果を示す切替情報を前記識別情報の少なくとも一部として符号化する、
請求項１〜３のいずれか１項に記載の符号化方法。
【請求項５】
前記設定ステップでは、
前記複数のデフォルト量子化マトリクスセットのそれぞれに割り当てられている優先順位にしたがって、何れかひとつの量子化マトリクスセットを選択する
請求項１〜４のいずれか１項に記載の符号化方法。
【請求項６】
前記符号化方法は、さらに、前記複数のデフォルト量子化マトリクスセットのそれぞれに割り当てられている優先順位を変更する変更ステップを含む、
請求項５に記載の符号化方法。
【請求項７】
符号列に含まれる符号化された動画像をブロック単位で復号する復号方法であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを前記動画像の所定の単位ごとに設定する設定ステップと、
設定された前記量子化マトリクスセットの中から選択された量子化マトリクスを用いて、復号された前記対象ブロックに対する逆量子化を行う逆量子化ステップとを含み、
前記設定ステップでは、
前記符号列に含まれる任意量子化マトリクスセットと、それぞれ予め規定された複数のデフォルト量子化マトリクスセットとの中から、何れかひとつを前記識別情報に基づいて前記動画像の所定の単位ごとに選択することによって、選択された前記量子化マトリクスセットを、前記対象ブロックの逆量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記復号ステップでは、
前記識別情報によって識別される量子化マトリクスセットが前記任意量子化マトリクスセットである場合には、前記符号列に含まれる前記任意量子化マトリクスセットをさらに復号する
復号方法。
【請求項８】
前記逆量子化ステップでは、
設定された前記量子化マトリクスセットの中から、前記対象ブロックのサイズに対応する量子化マトリクスを選択し、選択された前記量子化マトリクスを用いて逆量子化を行う
請求項７に記載の復号方法。
【請求項９】
前記複数のデフォルト量子化マトリクスセットに、第１セットと第２セットとがそれぞれデフォルト量子化マトリクスセットとして含まれている場合、
前記第１セットに含まれる、前記対象ブロックのサイズに対応する量子化マトリクスと、前記第２セットに含まれる、前記対象ブロックのサイズに対応する量子化マトリクスとにおいて、高域の同一周波数に対応するそれぞれの量子化値は互いに異なる、
請求項８に記載の復号方法。
【請求項１０】
前記復号ステップでは、
前記識別情報に含まれる、前記任意量子化マトリクスセットを用いるか否かを示す切替情報を復号し、
前記設定ステップでは、
前記切替情報に基づいて、前記任意量子化マトリクスセットか、前記複数のデフォルト量子化マトリクスセットの中の何れか１つかを、前記対象ブロックの逆量子化に用いる量子化マトリクスセットとして選択する、
請求項７〜９のいずれか１項に記載の復号方法。
【請求項１１】
前記設定ステップでは、
前記複数のデフォルト量子化マトリクスセットのそれぞれに割り当てられている優先順位にしたがって、何れかひとつの量子化マトリクスセットを選択する
請求項７〜１０のいずれか１項に記載の復号方法。
【請求項１２】
前記復号方法は、さらに、
前記複数のデフォルト量子化マトリクスセットのそれぞれに割り当てられている優先順位を変更する変更ステップを含む、
請求項１１に記載の復号方法。
【請求項１３】
動画像をブロック単位で符号化する符号化装置であって、
対象ブロックに対する量子化に用いる、複数の量子化マトリクスを含む量子化マトリクスセットを前記動画像の所定の単位ごとに設定する設定部と、
設定された前記量子化マトリクスセットの中から選択された量子化マトリクスを用いて、前記対象ブロックの量子化を行う量子化部と、
量子化された前記対象ブロックと、設定された前記量子化マトリクスセットを識別するための識別情報とを、互いに対応づけて符号化する符号化部とを備え、
前記設定部は、
任意に指定される任意量子化マトリクスセットと、それぞれ予め規定された複数のデフォルト量子化マトリクスセットとの中から、何れかひとつを前記動画像の所定の単位ごとに選択することによって、選択された前記量子化マトリクスセットを、前記対象ブロックの量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記符号化部は、
設定された前記量子化マトリクスセットが前記任意量子化マトリクスセットである場合には、前記任意量子化マトリクスセットをさらに符号化する
符号化装置。
【請求項１４】
処理回路と、前記処理回路に電気的に接続される記憶装置とを備え、動画像をブロック単位で符号化する符号化装置であって、
前記処理回路は、
対象ブロックに対する量子化に用いる、複数の量子化マトリクスを含む量子化マトリクスセットを前記動画像の所定の単位ごとに設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを実行し、
前記設定ステップでは、
任意に指定される任意量子化マトリクスセットと、それぞれ予め規定された複数のデフォルト量子化マトリクスセットとの中から、何れかひとつを前記動画像の所定の単位ごとに選択することによって、選択された前記量子化マトリクスセットを、前記対象ブロックの量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記符号化ステップでは、
設定された前記量子化マトリクスセットが前記任意量子化マトリクスセットである場合には、前記任意量子化マトリクスセットをさらに符号化する
符号化装置。
【請求項１５】
符号列に含まれる符号化された動画像をブロック単位で復号する復号装置であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号部と、
前記識別情報によって識別される量子化マトリクスセットを前記動画像の所定の単位ごとに設定する設定部と、
設定された前記量子化マトリクスセットの中から選択された量子化マトリクスを用いて、復号された前記対象ブロックに対する逆量子化を行う逆量子化部とを備え、
前記設定部は、
前記符号列に含まれる任意量子化マトリクスセットと、それぞれ予め規定された複数のデフォルト量子化マトリクスセットとの中から、何れかひとつを前記識別情報に基づいて前記動画像の所定の単位ごとに選択することによって、選択された前記量子化マトリクスセットを、前記対象ブロックの逆量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記復号部は、
前記識別情報によって識別される量子化マトリクスセットが前記任意量子化マトリクスセットである場合には、前記符号列に含まれる前記任意量子化マトリクスセットをさらに復号する
復号装置。
【請求項１６】
処理回路と、前記処理回路に電気的に接続される記憶装置とを備え、符号列に含まれる符号化された動画像をブロック単位で復号する復号装置であって、
前記処理回路は、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを前記動画像の所定の単位ごとに設定する設定ステップと、
設定された前記量子化マトリクスセットの中から選択された量子化マトリクスを用いて、復号された前記対象ブロックに対する逆量子化を行う逆量子化ステップとを実行し、
前記設定ステップでは、
前記符号列に含まれる任意量子化マトリクスセットと、それぞれ予め規定された複数のデフォルト量子化マトリクスセットとの中から、何れかひとつを前記識別情報に基づいて前記動画像の所定の単位ごとに選択することによって、選択された前記量子化マトリクスセットを、前記対象ブロックの逆量子化に用いる量子化マトリクスセットとして設定し、
前記複数のデフォルト量子化マトリクスセットのそれぞれは、少なくともインター予測用の第１の量子化マトリクスと、前記第１の量子化マトリクスとは異なる第２の量子化マトリクスとを含み、
前記復号ステップでは、
前記識別情報によって識別される量子化マトリクスセットが前記任意量子化マトリクスセットである場合には、前記符号列に含まれる前記任意量子化マトリクスセットをさらに復号する
復号装置。
【請求項１７】
動画の画像をブロック単位で符号化する符号化方法であって、
対象ブロックに対する量子化に用いる、複数の量子化マトリクスを含む量子化マトリクスセットを設定する設定ステップと、
設定された前記量子化マトリクスセットの中から選択された量子化マトリクスを用いて、前記対象ブロックの量子化を行う量子化ステップと、
量子化された前記対象ブロックと、設定された前記量子化マトリクスセットを識別するための識別情報とを、互いに対応づけて符号化する符号化ステップとを含み、
前記設定ステップでは、
それぞれ予め規定された複数の量子化マトリクスセットの中から、何れかの量子化マトリクスセットを選択することによって、選択された前記量子化マトリクスセットを、前記対象ブロックの量子化に用いる量子化マトリクスセットとして設定し、
前記複数の量子化マトリクスセットのそれぞれは、互いに異なる複数の量子化値を有する量子化マトリクスを含む、
符号化方法。
【請求項１８】
符号列に含まれる符号化された画像をブロック単位で復号する復号方法であって、
前記符号列に含まれる対象ブロックと、前記対象ブロックに対応づけて符号化された識別情報であって、前記対象ブロックに対する逆量子化に用いる、複数の量子化マトリクスを含む量子化マトリクスセットを識別するための識別情報とを復号する復号ステップと、
前記識別情報によって識別される量子化マトリクスセットを設定する設定ステップと、
設定された前記量子化マトリクスセットの中から選択された量子化マトリクスを用いて、復号された前記対象ブロックに対する逆量子化を行う逆量子化ステップとを含み、
前記設定ステップでは、
それぞれ予め規定された複数の量子化マトリクスセットの中から、何れかの量子化マトリクスセットを前記識別情報に基づいて選択することによって、選択された前記量子化マトリクスセットを、前記対象ブロックの逆量子化に用いる量子化マトリクスセットとして設定し、
前記複数の量子化マトリクスセットのそれぞれは、互いに異なる量子化値を有する量子化マトリクスを含む
復号方法。
【請求項１９】
前記任意量子化マトリクスセットと前記複数のデフォルト量子化マトリクスセットとのそれぞれは、少なくとも第１の予測モードに対応する量子化マトリクスと、第２の予測モードに対応する量子化マトリクスとを備える
請求項１に記載の符号化方法。
【請求項２０】
前記任意量子化マトリクスセットと前記複数のデフォルト量子化マトリクスセットとのそれぞれは、少なくともイントラ予測に対応する量子化マトリクスと、インター予測に対応する量子化マトリクスとを備える
請求項７に記載の復号方法。
【手続補正２】
【補正対象書類名】明細書
【補正対象項目名】０００６
【補正方法】変更
【補正の内容】
【０００６】
本発明の一態様に係る符号化方法は、動画像をブロック単位で符号化する符号化方法であって、対象ブロックに対する量子化に用いる、複数の量子化マトリクスを含む量子化マトリクスセットを前記動画像の所定の単位ごとに設定する設定ステップと、設定された前記量子化マトリクスセットの中から選択された量子化マトリクスを用いて、前記対象ブロックの量子化を行う量子化ステップと、量子化された前記対象ブロックと、設定された前記量子化マトリクスセットを識別するための識別情報とを、互いに対応づけて符号化する符号化ステップとを含み、前記設定ステップでは、任意に指定される任意量子化マトリクスセットと、それぞれ予め規定された複数のデフォルト量子化マトリクスセットとの中から、何れかひとつを前記動画像の所定の単位ごとに選択することによって、選択された前記量子化マトリクスセットを、前記対象ブロックの量子化に用いる量子化マトリクスセットとして設定し、前記複数のデフォルト量子化マトリクスセットのそれぞれは、少なくともインター予測用の第１の量子化マトリクスと、前記第１の量子化マトリクスとは異なる第２の量子化マトリクスとを含み、前記符号化ステップでは、設定された前記量子化マトリクスセットが前記任意量子化マトリクスセットである場合には、前記任意量子化マトリクスセットをさらに符号化する。
【国際調査報告】
2016103542.tif 000041
2016103542.tif 000042
2016103542.tif 000043
2016103542.tif 000044